(57)【要約】本発明の実施例は、コンテンションウィンドウの調整方法、装置及びシステムを提供する。該方法は、送信装置が１つのキャリアで第１データを送信するステップであって、該１つのキャリアは２つ以上の帯域幅単位を含む、ステップと、該送信装置が該第１データに対応する帯域幅単位に関連付けられたコンテンションウィンドウ（ＣＷ）を調整するステップと、を含む。本実施例の方法によれば、２つ以上の帯域幅単位（例えばＢＷＰ／ＬＢＴ  ｓｕｂ−ｂａｎｄ／ＬＢＴ  ｃｈａｎｎｅｌ）を含む１つのキャリアでデータ（第１データと称する）を送信する場合、該データに対応する帯域幅単位に関連付けられたＣＷを調整することで、１つのキャリアが２つ以上の帯域幅単位に対応するシナリオにおいて従来のＣＷ調整方法が適用できないという問題を解決することができる。【選択図】図２
2021533603.tif 000002
【特許請求の範囲】
【請求項１】
コンテンションウィンドウの調整装置であって、
１つのキャリアで第１データを送信する送信部であって、前記１つのキャリアは２つ以上の帯域幅単位を含む、送信部と、
前記第１データに対応する帯域幅単位に関連付けられたコンテンションウィンドウ（ＣＷ）を調整する調整部と、を含む、装置。
【請求項２】
前記第１データに対応する帯域幅単位が少なくとも１つある、請求項１に記載の装置。
【請求項３】
前記調整部は、
前記第１データの一部のデータの受信状況に基づいて、前記一部のデータに対応する帯域幅単位に関連付けられたコンテンションウィンドウを調整する第１調整部、を含む、請求項２に記載の装置。
【請求項４】
第１調整部は、第１因子に基づいて、前記一部のデータに対応する帯域幅単位に関連付けられたコンテンションウィンドウを調整する、請求項３に記載の装置。
【請求項５】
前記第１因子は、前記一部のデータにおけるＣＢＧ又はＣＢの受信状況を計数するために用いられる、請求項４に記載の装置。
【請求項６】
前記一部のデータにおける１つの完全なＣＢＧについて、受信に成功したか否かを１回として計数し、前記一部のデータにおける１つの不完全なＣＢＧについて、計数せず、或いは、
前記一部のデータにおける１つの完全なＣＢについて、受信に成功したか否かを１回として計数し、前記一部のデータにおける１つの不完全なＣＢについて、計数しない、請求項３に記載の装置。
【請求項７】
前記一部のデータについて、受信に成功したか否かを１回として計数する、請求項３に記載の装置。
【請求項８】
前記調整部は、
前記第１データの受信状況に基づいて、前記第１データの一部のデータに対応する帯域幅単位に関連付けられたコンテンションウィンドウを調整する第２調整部、を含む、請求項２に記載の装置。
【請求項９】
第２調整部は、第２因子に基づいて、前記一部のデータに対応する帯域幅単位に関連付けられたコンテンションウィンドウを調整する、請求項８に記載の装置。
【請求項１０】
前記第２因子は、前記第１データにおけるＴＢ、ＣＢＧ又はＣＢの受信状況を計数するために用いられる、請求項９に記載の装置。
【請求項１１】
前記一部のデータは、前記一部のデータに対応する帯域幅単位の帯域幅範囲内で送信される、請求項３に記載の装置。
【請求項１２】
前記第１データに対応する帯域幅単位が２つ以上あり、且つ前記２つ以上の帯域幅単位のうちの少なくとも２つが同一のコンテンションウィンドウに関連付けられ、
前記調整部は、
前記第１データの受信状況に基づいて、前記第１データに対応する前記少なくとも２つの帯域幅単位に関連付けられたコンテンションウィンドウを調整する第３調整部、を含む、請求項２に記載の装置。
【請求項１３】
前記第１データにおける１つのＴＢ、ＣＢＧ又はＣＢについて、受信に成功したか否かを１回として計数する、請求項１２に記載の装置。
【請求項１４】
前記少なくとも２つの帯域幅単位に対応する第１データの部分は、完全に同一であるものではない、請求項１２に記載の装置。
【請求項１５】
第１データを送信するための周波数領域リソースに基づいて、前記第１データに対応する帯域幅単位を決定する決定部、をさらに含む、請求項１に記載の装置。
【請求項１６】
前記第１データを送信するための周波数領域リソースが全て１つの帯域幅単位の帯域幅範囲内に位置する場合、前記帯域幅単位は、前記第１データに対応する帯域幅単位であり、或いは、
前記第１データを送信するための周波数領域リソースの少なくとも一部が１つの帯域幅単位の帯域幅範囲内に位置する場合、前記帯域幅単位は、前記第１データに対応する帯域幅単位である、請求項１５に記載の装置。
【請求項１７】
前記決定部は、
前記第１データを送信するためのチャネルアクセス優先度、
前記第１データを送信するためのサブキャリア間隔、
前記第１データを送信するための時間領域リソースの位置、
前記第１データに対応するハイブリッド自動再送プロセス（ＨＡＲＱ  ｐｒｏｃｅｓｓ）、及び
前記第１データの関連情報の時間周波数リソースの位置のうちの少なくとも１つの情報に基づいて、前記第１データに対応する帯域幅単位を決定する、請求項１５に記載の装置。
【請求項１８】
前記２つ以上の帯域幅単位のうちの少なくとも２つの帯域幅単位の帯域幅サイズ及び／又は周波数領域開始位置は異なる、請求項１に記載の装置。
【請求項１９】
前記第１データの関連情報を受信し、前記第１データの関連情報に基づいて前記第１データの受信状況又は前記第１データの一部のデータの受信状況を決定する受信部、をさらに含む、請求項３に記載の装置。
【請求項２０】
前記第１データの関連情報は、１つのＴＢに対応する異なる帯域幅単位でのデータの受信に成功したか否かを示し、
前記異なる帯域幅単位は、周波数領域で重複していない、請求項１９に記載の装置。
【発明の詳細な説明】
【技術分野】
【０００１】
本発明は、通信分野に関し、特にコンテンションウィンドウの調整方法、装置及び通信システムに関する。
【背景技術】
【０００２】
リッスンビフォアトーク（ＬＢＴ：Ｌｉｓｔｅｎ  Ｂｅｆｏｒｅ  Ｔａｌｋ）は、無線ＬＡＮ（ローカルエリアネットワーク）に同一のスペクトルリソースを効果的に共有させるチャネルアクセスメカニズムである。ライセンス不要の周波数帯域でのチャネルの可用性は常に確保されることではないため、ＬＢＴでは、装置がデータを送信する前にチャネルを監視し、アイドルチャネルの評価を行い、チャネルがアイドル状態にあることが確保された場合にデータを送信する必要がある。
【０００３】
ロングタームエボリューション（ＬＴＥ：Ｌｏｎｇ  Ｔｅｒｍ  Ｅｖｏｌｕｔｉｏｎ）のライセンス補助アクセス（ＬＡＡ：Ｌｉｃｅｎｓｅｄ  Ａｓｓｉｓｔｅｄ  Ａｃｃｅｓｓ）では、コンテンションウィンドウのサイズが可変なランダムバックオフを有するＬＢＴ（ＬＢＴ  ｗｉｔｈ  ｒａｎｄｏｍ  ｂａｃｋ−ｏｆｆ  ｗｉｔｈ  ｖａｒｉａｂｌｅ  ｓｉｚｅ  ｏｆ  ｃｏｎｔｅｎｔｉｏｎ  ｗｉｎｄｏｗ）が採用される。即ち、送信装置のチャネルアクセスプロセスでは、ランダムバックオフ（ｒａｎｄｏｍ  ｂａｃｋ−ｏｆｆ）が含まれ、ランダムバックオフに対応するコンテンションウィンドウ（ＣＷ：Ｃｏｎｔｅｎｔｉｏｎ  Ｗｉｎｄｏｗ）を調整できる。ランダムバックオフでは、送信装置がランダムバックオフカウンタにより各時間間隔でチャネルエネルギーを検出することでチャネルがアイドル状態にあるか否かを評価する。チャネルが時間間隔でアイドル状態にある場合、カウンタから１を減算し、カウンタが０になる場合、送信装置はチャネルがアイドル状態にあると判断し、該チャネルでデータの送信を開始する。
【０００４】
上記のメカニズムでは、ランダムバックオフカウンタの初期値は０〜ＣＷＳ／ＣＷＶの間の整数であってもよい。ＣＷＳはコンテンションウィンドウサイズ（Ｃｏｎｔｅｎｔｉｏｎ  Ｗｉｎｄｏｗ  Ｓｉｚｅ）であり、ＣＷＶはコンテンションウィンドウ値（Ｃｏｎｔｅｎｔｉｏｎ  Ｗｉｎｄｏｗ  Ｖａｌｕｅ）であり、「／」は「又は」であり、説明の便宜上、コンテンションウィンドウ（ＣＷ）と略称する。このため、ランダムバックオフカウンタを初期化する前に、コンテンションウィンドウのサイズを調整することで、送信装置がチャネルにアクセスするために必要な平均時間を制御することができる。
【０００５】
なお、背景技術に関する上記の説明は、単なる本発明の構成をより明確、完全に説明するためのものであり、当業者を理解させるために説明するものである。これらの構成が本発明の背景技術の部分に説明されているから当業者にとって周知の技術であると解釈してはならない。
【発明の概要】
【発明が解決しようとする課題】
【０００６】
本発明の発明者の発見により、ＬＡＡでは、１つのキャリアが１つのチャネルに対応する。即ち、送信装置は上記のチャネルアクセスプロセスに従って１つのキャリアでデータを送信できるか否かを判断し、チャネルアクセスに対応するチャネル帯域幅はデータマッピングの帯域幅と同一であり、該キャリアで送信されるデータの受信状況は該キャリアに対応するチャネルのチャネル状態を反映する。このため、送信装置は、１つのキャリアに対応するフィードバック情報に基づいて、該キャリア上で以前に送信されたデータの受信状況を決定し、該キャリアに関連付けられたＣＷを調整することができる。例えば、送信装置は、送信されるデータの受信成功率が所定の閾値よりも高いと判断した場合、ＣＷを予め定義されたＣＷ集合における最小値に設定する。そうでない場合、ＣＷをＣＷ集合における次に大きい値に増加する。
【０００７】
しかし、新しい無線（ＮＲ：Ｎｅｗ  Ｒａｄｉｏ）では、１つのキャリアが２つ以上のチャネルに対応する可能性があり、送信装置はチャネルアクセスプロセスに従って各チャネルでデータを送信できるか否かを判断する場合があり、データマッピングの帯域幅が２つ以上のチャネルに跨る場合がある。このため、チャネルアクセスに対応するチャネル帯域幅とデータマッピングのチャネル帯域幅とが合致しない場合がある。送信側装置が依然として上記の方法を用いてＣＷ調整方式を決定する場合、即ち、１つのキャリアに対応するフィードバック情報に基づいて該キャリアに関連付けられたＣＷを調整する場合、得られたＣＷ調整方式は、該キャリアの２つ以上のチャネルに適用されない場合がある。
【０００８】
上記の問題の少なくとも１つを解決するために、本発明の実施例は、コンテンションウィンドウの調整方法、装置及び通信システムを提供する。
【課題を解決するための手段】
【０００９】
本発明の実施例の第１態様では、コンテンションウィンドウの調整方法であって、１つのキャリアで第１データを送信するステップであって、前記１つのキャリアは２つ以上の帯域幅単位を含む、ステップと、前記第１データに対応する帯域幅単位に関連付けられたコンテンションウィンドウ（ＣＷ）を調整するステップと、を含む、方法を提供する。
【００１０】
本発明の実施例の第２態様では、コンテンションウィンドウの調整装置であって、１つのキャリアで第１データを送信する送信部であって、前記１つのキャリアは２つ以上の帯域幅単位を含む、送信部と、前記第１データに対応する帯域幅単位に関連付けられたコンテンションウィンドウ（ＣＷ）を調整する調整部と、を含む、装置を提供する。
【００１１】
本発明の実施例の第３態様では、データ伝送方法であって、受信装置が送信装置に第１情報を送信するステップ、を含み、前記第１情報は、１つのキャリアの２つ以上の帯域幅単位を示し、前記送信装置は、前記キャリアで第１データを送信し、前記第１データに対応する帯域幅単位に関連付けられたコンテンションウィンドウ（ＣＷ）を調整する、方法を提供する。
【００１２】
本発明の実施例の第４態様では、データ伝送装置であって、送信装置に第１情報を送信する送信部、を含み、前記第１情報は、１つのキャリアの２つ以上の帯域幅単位を示し、前記送信装置は、前記キャリアで第１データを送信し、前記第１データに対応する帯域幅単位に関連付けられたコンテンションウィンドウ（ＣＷ）を調整する、装置を提供する。
【００１３】
本発明の実施例の第５態様では、上記の実施例の第２態様又は第４態様に記載の装置を含む、ネットワーク装置を提供する。
【００１４】
本発明の実施例の第６態様では、上記の実施例の第２態様に記載の装置を含む、端末装置を提供する。
【００１５】
本発明の実施例の第７態様では、ネットワーク装置と、端末装置と、を含む通信システムであって、前記ネットワーク装置は、上記の実施例の第２態様又は第４態様に記載の装置を含み、前記端末装置は、上記の実施例の第２態様に記載の装置を含む、通信システムを提供する。
【００１６】
本発明の実施例の他の態様では、コンピュータ読み取り可能なプログラムであって、ネットワーク装置において該プログラムを実行する際に、コンピュータに前記ネットワーク装置において上記の実施例の第１態様又は第３態様に記載の方法を実行させる、プログラムをさらに提供する。
【００１７】
本発明の実施例の他の態様では、コンピュータ読み取り可能なプログラムが記憶されている記憶媒体であって、該プログラムを実行する際に、コンピュータにネットワーク装置において実施例の第１態様又は第３態様に記載の方法を実行させる、記憶媒体をさらに提供する。
【００１８】
本発明の実施例の他の態様では、コンピュータ読み取り可能なプログラムであって、端末装置において該プログラムを実行する際に、コンピュータに前記端末装置において上記の実施例の第１態様に記載の方法を実行させる、プログラムをさらに提供する。
【００１９】
本発明の実施例の他の態様では、コンピュータ読み取り可能なプログラムが記憶されている記憶媒体であって、該プログラムを実行する際に、コンピュータに端末装置において実施例の第１態様に記載の方法を実行させる、記憶媒体をさらに提供する。
【００２０】
本発明の実施例の有利な効果としては、２つ以上の帯域幅単位（例えばＬＢＴ  ｓｕｂ−ｂａｎｄ／ＬＢＴ  ｃｈａｎｎｅｌ）を含む１つのキャリアでデータ（第１データと称する）を送信する場合、該データに対応する帯域幅単位に関連付けられたＣＷを調整することで、１つのキャリアが２つ以上の帯域幅単位に対応するシナリオにおいて従来のＣＷ調整方法が適用できないという問題を解決することができる。
【００２１】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００２２】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００２３】
なお、本文では、用語「含む／有する」は、特徴、部材、ステップ又は構成要件が存在することを意味し、一つ又は複数の他の特徴、部材、ステップ又は構成要件の存在又は付加を排除しない。
【図面の簡単な説明】
【００２４】
本発明の実施例の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【００２５】
含まれる図面は、本発明の実施例をさらに理解するために用いられ、明細書の一部を構成し、本発明の実施形態を例示するために用いられ、文言の記載と共に本発明の原理を説明する。なお、以下に説明される図面は、単なる本発明の一部の実施例であり、当業者にとっては、これらの図面に基づいて他の図面を容易に想到できる。
【図１】通信システムの１つの概略図である。
【図２】実施例１のコンテンションウィンドウの調整方法の概略図である。
【図３】１つの伝送ブロックの概略図である。
【図４】キャリア帯域幅の帯域幅単位の分割の１つの概略図である。
【図５】キャリア帯域幅の帯域幅単位の分割のもう１つの概略図である。
【図６】キャリア帯域幅の帯域幅単位の分割のもう１つの概略図である。
【図７】キャリア帯域幅の帯域幅単位の分割のもう１つの概略図である。
【図８】実施例２のデータ伝送方法の１つの態様の概略図である。
【図９】実施例２のデータ伝送方法のもう１つの態様の概略図である。
【図１０】実施例３のコンテンションウィンドウの調整装置の概略図である。
【図１１】実施例４のデータ伝送装置の１つの態様の概略図である。
【図１２】実施例４のデータ伝送装置のもう１つの態様の概略図である。
【図１３】実施例５のネットワーク装置の概略図である。
【図１４】実施例６の端末装置の概略図である。
【発明を実施するための形態】
【００２６】
本発明の上記及び他の特徴は以下の説明により明らかになる。明細書及び図面において、本発明の特定の実施形態が詳細に開示され、本発明の原理を採用できる実施形態の一部が示される。なお、本発明は説明される実施形態に限定されない。本発明は、添付される特許請求の範囲内の全ての変更されたもの、変形されたもの及び均等的なものを含む。以下は、図面を参照しながら本発明の各実施形態を説明する。これらの実施形態は単なる例示的なものであり、本発明を制限するものではない。
【００２７】
本発明の実施例では、用語「第１」、「第２」などは、タイトルで異なる要素を区別するために用いられるが、これらの要素の空間的配列又は時間的順序などを表すものではなく、これらの要素はこれらの用語に制限されない。用語「及び／又は」は、関連するリストに列挙された用語の１つ又は複数のうち何れか１つ及び全ての組み合わせを含む。用語「含む」、「包括する」、「有する」などは、列挙された特徴、要素、素子又は構成部材の存在を意味するが、１つ又は複数の他の特徴、要素、素子又は構成部材の存在又は追加を排除するものではない。
【００２８】
本発明の実施例では、単数形の「１つ」、「該」などは複数形を含み、「１種類」又は「１類」と広義的に理解されるべきであり、「１個」に限定されない。また、用語「前記」は、文脈がそうでないことを明確に示さない限り、単数形及び複数形両方を含むと理解されるべきである。また、文脈がそうでないことを明確に示さない限り、用語「に記載の」は「少なくとも一部に記載の」と理解されるべきであり、用語「に基づいて」は「少なくとも一部に基づいて」と理解されるべきである。
【００２９】
本発明の実施例では、用語「通信ネットワーク」又は「無線通信ネットワーク」は、例えばロングタームエボリューション（ＬＴＥ：Ｌｏｎｇ  Ｔｅｒｍ  Ｅｖｏｌｕｔｉｏｎ）、進化したロングタームエボリューション（ＬＴＥ−Ａ、ＬＴＥ−Ａｄｖａｎｃｅｄ）、広帯域符号分割多元接続（ＷＣＤＭＡ(登録商標)：Ｗｉｄｅｂａｎｄ  Ｃｏｄｅ  Ｄｉｖｉｓｉｏｎ  Ｍｕｌｔｉｐｌｅ  Ａｃｃｅｓｓ）、高速パケットアクセス（ＨＳＰＡ：Ｈｉｇｈ−Ｓｐｅｅｄ  Ｐａｃｋｅｔ  Ａｃｃｅｓｓ）などの任意の通信規格に適合するネットワークを意味してもよい。
【００３０】
また、通信システムにおける装置間の通信は、任意の段階の通信プロトコルに従って行われてもよく、該通信プロトコルは、例えば１Ｇ（ｇｅｎｅｒａｔｉｏｎ）、２Ｇ、２．５Ｇ、２．７５Ｇ、３Ｇ、４Ｇ、４．５Ｇ、及び将来の５Ｇ、新しい無線（ＮＲ：Ｎｅｗ  Ｒａｄｉｏ）等、及び／又は現在の既知の他の通信プロトコル若しくは将来開発される他の通信プロトコルを含んでもよいが、これらに限定されない。
【００３１】
本発明の実施例では、用語「ネットワーク装置」は、例えば通信システムに端末装置をアクセスさせて該端末装置にサービスを提供する通信システム内の装置を意味する。ネットワーク装置は、基地局（ＢＳ：Ｂａｓｅ  Ｓｔａｔｉｏｎ）、アクセスポイント（ＡＰ：Ａｃｃｅｓｓ  Ｐｏｉｎｔ）、送受信ポイント（ＴＲＰ：Ｔｒａｎｓｍｉｓｓｉｏｎ  Ｒｅｃｅｐｔｉｏｎ  Ｐｏｉｎｔ）、ブロードキャスト送信機、モビリティ管理エンティティ（ＭＭＥ：Ｍｏｂｉｌｅ  Ｍａｎａｇｅｍｅｎｔ  Ｅｎｔｉｔｙ）、ゲートウェイ、サーバ、無線ネットワークコントローラ（ＲＮＣ：Ｒａｄｉｏ  Ｎｅｔｗｏｒｋ  Ｃｏｎｔｒｏｌｌｅｒ）、基地局コントローラ（ＢＳＣ：Ｂａｓｅ  Ｓｔａｔｉｏｎ  Ｃｏｎｔｒｏｌｌｅｒ）などを含んでもよいが、これらに限定されない。
【００３２】
そのうち、基地局は、ノードＢ（ＮｏｄｅＢ又はＮＢ）、進化ノードＢ（ｅＮｏｄｅＢ又はｅＮＢ）、及び５Ｇ基地局（ｇＮＢ）など、並びにリモート無線ヘッド（ＲＲＨ：Ｒｅｍｏｔｅ  Ｒａｄｉｏ  Ｈｅａｄ）、リモート無線ユニット（ＲＲＵ：Ｒｅｍｏｔｅ  Ｒａｄｉｏ  Ｕｎｉｔ）、中継装置（ｒｅｌａｙ）又は低電力ノード（例えばｆｅｍｔｏ、ｐｉｃｏなど）を含んでもよいが、これらに限定されない。また、用語「基地局」はそれらの機能の一部又は全てを含んでもよく、各基地局は特定の地理的エリアに対して通信カバレッジを提供してもよい。用語「セル」は、該用語が使用されるコンテキストに応じて、基地局及び／又はそのカバレッジエリアを意味してもよい。
【００３３】
本発明の実施例では、用語「ユーザ装置」（ＵＥ：Ｕｓｅｒ  Ｅｑｕｉｐｍｅｎｔ）又は用語「端末装置」（ＴＥ：Ｔｅｒｍｉｎａｌ  Ｅｑｕｉｐｍｅｎｔ）は、例えばネットワーク装置を介して通信ネットワークにアクセスし、ネットワークサービスを受ける装置を意味する。端末装置は、固定的なもの又は移動的なものであってもよく、移動局（ＭＳ：Ｍｏｂｉｌｅ  Ｓｔａｔｉｏｎ）、端末、加入者ステーション（ＳＳ：Ｓｕｂｓｃｒｉｂｅｒ  Ｓｔａｔｉｏｎ）、アクセス端末（ＡＴ：Ａｃｃｅｓｓ  Ｔｅｒｍｉｎａｌ）、ステーションなどと称されてもよい。
【００３４】
そのうち、端末装置は、携帯電話（Ｃｅｌｌｕｌａｒ  Ｐｈｏｎｅ）、パーソナルデジタルアシスタント（ＰＤＡ：Ｐｅｒｓｏｎａｌ  Ｄｉｇｉｔａｌ  Ａｓｓｉｓｔａｎｔ）、無線変復調装置、無線通信装置、ハンドヘルドデバイス、マシンタイプ通信装置、ラップトップコンピュータ、コードレス電話、スマートフォン、スマートウォッチ、デジタルカメラなどを含んでもよいが、これらに限定されない。
【００３５】
例えば、モノのインターネット（ＩｏＴ：Ｉｎｔｅｒｎｅｔ  ｏｆ  Ｔｈｉｎｇｓ）などのシナリオでは、ユーザ装置は、監視又は測定を行う機器又は装置であってもよく、例えばマシンタイプ通信（ＭＴＣ：Ｍａｃｈｉｎｅ  Ｔｙｐｅ  Ｃｏｍｍｕｎｉｃａｔｉｏｎ）端末、車載通信端末、デバイスツーデバイス（Ｄ２Ｄ：Ｄｅｖｉｃｅ  ｔｏ  Ｄｅｖｉｃｅ）端末、マシンツーマシン（Ｍ２Ｍ：Ｍａｃｈｉｎｅ  ｔｏ  Ｍａｃｈｉｎｅ）端末などを含んでもよいが、これらに限定されない。
【００３６】
以下は、一例を参照しながら本発明の実施例のシナリオを説明するが、本発明はこれに限定されない。
【００３７】
図１は、本発明の実施例の通信システムの概略図であり、ユーザ装置及びネットワーク装置の例を概略的に示している。図１に示すように、通信システム１００は、ネットワーク装置１０１及び端末装置１０２を含んでもよい。説明の便宜上、図１は、１つの端末装置のみを一例にして説明する。ネットワーク装置１０１は、例えばＮＲのネットワーク装置ｇＮＢである。
【００３８】
本発明の実施例では、ネットワーク装置１０１と端末装置１０２との間では、既存のサービス又は将来に実装可能なサービスを行うことができる。例えば、これらのサービスは、拡張モバイルブロードバンド（ｅＭＢＢ：ｅｎｈａｎｃｅｄ  Ｍｏｂｉｌｅ  Ｂｒｏａｄｂａｎｄ）、大規模マシンタイプ通信（ｍＭＴＣ：ｍａｓｓｉｖｅ  Ｍａｃｈｉｎｅ  Ｔｙｐｅ  Ｃｏｍｍｕｎｉｃａｔｉｏｎ）及び高信頼性低遅延通信（ＵＲＬＬＣ：Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ）などを含むが、これらに限定されない。
【００３９】
ここで、端末装置１０２は、例えばグラントフリー（ｇｒａｎｔ−ｆｒｅｅ）の伝送方式を用いてネットワーク装置１０１にデータを送信してもよい。ネットワーク装置１０１は、１つ又は複数の端末装置１０２により送信されたデータを受信し、端末装置１０２に情報（例えば肯定応答（ＡＣＫ）／非肯定応答（ＮＡＣＫ））をフィードバックしてもよく、端末装置１０２は、フィードバック情報に基づいて伝送プロセスの終了を確認してもよいし、新しいデータ伝送又はデータ再送を行ってもよい。
【００４０】
以下は、図面を参照しながら本発明の実施例の各態様を説明する。これらの態様は単なる例示的なものであり、本発明を限定するものではない。
【００４１】
＜実施例１＞
本発明の実施例はコンテンションウィンドウの調整方法を提供し、該方法は送信装置、例えば図１に示す通信システムのネットワーク装置１０１又は端末装置１０２に適用される。図２は本発明の実施例のコンテンションウィンドウの調整方法の概略図である。図２に示すように、該方法は以下のステップを含む。
【００４２】
ステップ２０１：送信装置は、１つのキャリアで第１データを送信する。該１つのキャリアは２つ以上の帯域幅単位（ｂａｎｄｗｉｄｔｈ  ｕｎｉｔ）を含む。
【００４３】
ステップ２０２：該送信装置は、該第１データに対応する帯域幅単位に関連付けられたコンテンションウィンドウ（ＣＷ）を調整する。
【００４４】
本発明では、２つ以上の帯域幅単位（例えばＢＷＰ／ＬＢＴ  ｓｕｂ−ｂａｎｄ／ＬＢＴ  ｃｈａｎｎｅｌ）を含む１つのキャリアでデータ（第１データと称する）を送信する場合、該データに対応する帯域幅単位に関連付けられたＣＷを調整することで、１つのキャリアが２つ以上の帯域幅単位に対応するシナリオにおいて従来のＣＷ調整方法が適用できないという問題を解決することができる。
【００４５】
本実施例の上記のステップ２０１において、送信装置は、ネットワーク装置であってもよいし、端末装置であってもよく、チャネルアクセスプロセスを介して上記の第１データを送信し、該第１データの関連情報に基づいてＣＷを調整してもよい。ここで、第１データの関連情報は、受信装置から受信されてもよいし、上記の第１データの関連情報が受信されていない場合に所定のルールに従って決定されてもよく、詳細は後述する。
【００４６】
本実施例の上記のステップ２０１において、第１データは、少なくとも１つの伝送ブロック（ＴＢ）を含んでもよく、各ＴＢは、１つ又は複数のコードブロック（ＣＢ）を含み、該１つ又は複数のＣＢは、１つ又は複数のコードブロックグループ（ＣＢＧ）にグループ分けされてもよく、即ち、１つのＣＢＧは、１つ又は複数のＣＢを含んでもよい。本実施例では、送信装置がネットワーク装置である場合、第１データは、物理ダウンリンク共有チャネル（ＰＤＳＣＨ）を介して送信されてもよく、送信装置が端末装置である場合、第１データは、物理アップリンク共有チャネル（ＰＵＳＣＨ）を介して送信されてもよい。図３は１つのＴＢの例である。この例では、１つのＴＢは４つのＣＢを含み、各２つのＣＢは１つのＣＢＧにグループ分けされる。図３の例は単なる例示的なものであり、実際のＴＢの構成公式を表すものではない。
【００４７】
以下は、第１データに１つのＴＢが含まれることを説明する。第１データに複数のＴＢが含まれている場合、各ＴＢの状況は上記の１つのＴＢの状況と同じである。
【００４８】
本実施例の上記のステップ２０１において、１つのキャリアは２つ以上の帯域幅単位を含んでもよい。ここで、帯域幅単位は、ダウンリンク又はアップリンクのキャリアサブバンド（ＤＬ／ＵＬ  ＢＷＰ、ｄｏｗｎｌｉｎｋ／ｕｐｌｉｎｋ  ｂａｎｄｗｉｄｔｈ  ｐａｒｔ）、ＬＢＴ  ｃｈａｎｎｅｌであってもよいし、ＬＢＴ  ｓｕｂ−ｂａｎｄであってもよい。送信装置は、１つの帯域幅単位でのエネルギー及び／又は信号を検出することにより、該帯域幅単位に対応するチャネルがアイドル状態にあるか否かを決定してもよい。また、該２つ以上の帯域幅単位のうちの少なくとも２つの帯域幅単位の帯域幅サイズ及び／又は周波数領域開始位置は、異なってもよい。
【００４９】
１つの態様では、上記の送信装置がネットワーク装置である場合、キャリアはダウンリンクキャリアであり、該キャリアに含まれる２つ以上の帯域幅単位は、ダウンリンクキャリアの帯域幅単位、例えば、ダウンリンクキャリアサブバンド（ＤＬ  ＢＷＰ）、ＬＢＴ  ｃｈａｎｎｅｌ又はＬＢＴ  ｓｕｂ−ｂａｎｄである。この態様では、ネットワーク装置は、該キャリアに含まれる帯域幅単位を予め構成してもよく、例えば、ネットワーク装置は、標準、プロトコル、又はライセンス不要の周波数帯域の規制要件に従って、１つのダウンリンクキャリアの帯域幅単位を予め構成してもよい。図４及び図５では、該キャリア帯域幅がＬＢＴ  ｓｕｂ−ｂａｎｄであることを一例にし、帯域幅単位がＤＬ  ＢＷＰ又はＬＢＴ  ｃｈａｎｎｅｌである場合、ＬＢＴ  ｓｕｂ−ｂａｎｄと同様である。
【００５０】
１つの例では、１つのキャリアのキャリア帯域幅（ＣＢＷ）が４０ＭＨｚであり、その帯域幅単位の分割方式が図４に示すものであると仮定する。この場合は、該キャリア上のＬＢＴ  ｕｂ−ｂａｎｄは、ＬＢＴ  ｕｂ−ｂａｎｄ  １〜３のうちの２つ以上であってもよく、例えばＬＢＴ  ｕｂ−ｂａｎｄ  １及びＬＢＴ  ｕｂ−ｂａｎｄ  ２であってもよいし、ＬＢＴ  ｕｂ−ｂａｎｄ  １及びＬＢＴ  ｕｂ−ｂａｎｄ  ３であってもよいし、ＬＢＴ  ｕｂ−ｂａｎｄ  １〜３であってもよい。
【００５１】
もう１つの例では、１つのキャリアのキャリア帯域幅（ＣＢＷ）が８０ＭＨｚであり、その帯域幅単位の分割方式が図５に示すものであると仮定する。この場合は、該キャリア上のＬＢＴ  ｕｂ−ｂａｎｄは、ＬＢＴ  ｕｂ−ｂａｎｄ  １〜７のうちの２つ以上であってもよく、例えばＬＢＴ  ｕｂ−ｂａｎｄ  １〜４であってもよいし、ＬＢＴ  ｕｂ−ｂａｎｄ  ５〜６であってもよいし、ＬＢＴ  ｕｂ−ｂａｎｄ  １〜３及びＬＢＴ  ｕｂ−ｂａｎｄ  ６であってもよいし、ＬＢＴ  ｕｂ−ｂａｎｄ  １〜７であってもよい。
【００５２】
この態様では、上記の２つ以上の帯域幅単位に対応する周波数領域帯域幅は、キャリア帯域幅に等しい。
【００５３】
もう１つの態様では、上記の送信装置が端末装置である場合、キャリアはアップリンクキャリアであり、該キャリアに含まれる２つ以上の帯域幅単位は、アップリンクキャリアの帯域幅単位であり、例えばアップリンクキャリアサブバンド（ＵＬ  ＢＷＰ）、ＬＢＴ  ｃｈａｎｎｅｌ又はＬＢＴ  ｓｕｂ−ｂａｎｄである。この態様では、ネットワーク装置は、該キャリアに含まれる帯域幅単位の構成を明示的又は暗黙的に示してもよく、該端末装置は、該キャリアに含まれる帯域幅単位の構成を決定するように、ネットワーク装置により送信された、該キャリアに含まれる２つ以上の帯域幅単位の情報（第１情報と称する）を受信してもよい。
【００５４】
例えば、帯域幅単位がＵＬ  ＢＷＰである場合、ネットワーク装置は、システムメッセージ又は無線リソース制御（ＲＲＣ）シグナリングを介して、該アップリンクキャリアの１つ又は複数のアップリンクキャリアサブバンド（ＵＬ  ＢＷＰ）、例えば周波数領域開始点、帯域幅などを端末装置に通知する。
【００５５】
また、例えば、帯域幅単位がＬＢＴ  ｓｕｂ−ｂａｎｄ又はＬＢＴ  ｃｈａｎｎｅｌである場合、ネットワーク装置がシステムメッセージ又は無線リソース制御（ＲＲＣ）シグナリングを介して該アップリンクキャリアの１つ又は複数のアップリンクキャリアサブバンド（ＵＬ  ＢＷＰ）、例えば周波数領域開始点、帯域幅などを端末装置に通知するとき、端末装置は、アップリンクキャリアサブバンドの周波数領域位置及び予め定義されたルールに従って、該アップリンクキャリアサブバンドに対応するＬＢＴ  ｓｕｂ−ｂａｎｄ又はＬＢＴ  ｃｈａｎｎｅｌを決定してもよい。また、例えば、ネットワーク装置は、１つのアップリンクキャリアサブバンドに対応するＬＢＴ  ｓｕｂ−ｂａｎｄ又はＬＢＴ  ｃｈａｎｎｅｌを指示するように、指示情報を直接かつ明示的に送信してもよい。
【００５６】
本実施例の上記のステップ２０２において、第１データは少なくとも１つの帯域幅単位に対応し、該第１データに対応する帯域幅単位は、上記の送信装置により、該第１データを送信するための周波数領域リソースに基づいて決定されてもよい。
【００５７】
１つの態様では、該第１データを送信するための周波数領域リソースが全て１つの帯域幅単位の帯域幅範囲内に位置する場合、該帯域幅単位は、該第１データに対応する帯域幅単位であると判断する。言い換えれば、第１データを送信するための周波数領域リソースは、全て該第１データに対応する帯域幅単位の帯域幅範囲内にある。
【００５８】
図６は帯域幅単位の分割の１つの概略図である。図６に示すように、ＴＢ１を送信するための周波数領域リソースが全てＬＢＴ  ｓｕｂ−ｂａｎｄ  １及びＬＢＴ  ｓｕｂ−ｂａｎｄ  ３内にある場合、ＴＢ  １はＬＢＴ  ｓｕｂ−ｂａｎｄ  １及び／又はＬＢＴ  ｓｕｂ−ｂａｎｄ  ３に対応してもよい。同様に、ＴＢ２を送信するための周波数領域リソースが全てＬＢＴ  ｓｕｂ−ｂａｎｄ  ２及びＬＢＴ  ｓｕｂ−ｂａｎｄ  ３内にある場合、ＴＢ  ２はＬＢＴ  ｓｕｂ−ｂａｎｄ  ２及び／又はＬＢＴ  ｓｕｂ−ｂａｎｄ  ３に対応してもよい。同様に、ＴＢ３を送信するための周波数領域リソースが全てＬＢＴ  ｓｕｂ−ｂａｎｄ  ３内にある場合、ＴＢ  ３はＬＢＴ  ｓｕｂ−ｂａｎｄ  ３に対応してもよい。
【００５９】
この態様では、第１データが１つの帯域幅単位に対応するか、それとも複数の帯域幅単位に対応するかは、１つのキャリアに含まれる帯域幅単位の構成に依存する。帯域幅単位の構成は上記の通りであり、ここでその説明を省略する。例えば、該キャリアに含まれる帯域幅単位の構成が上記のＬＢＴ  ｓｕｂ−ｂａｎｄ  １及びＬＢＴ  ｓｕｂ−ｂａｎｄ  ２である場合、ＴＢ１はＬＢＴ  ｓｕｂ−ｂａｎｄ  １に対応してもよい。構成がＬＢＴ  ｓｕｂ−ｂａｎｄ  １〜３である場合、ＴＢ１はＬＢＴ  ｓｕｂ−ｂａｎｄ  １及びＬＢＴ  ｓｕｂ−ｂａｎｄ  ３に対応してもよい。
【００６０】
この態様では、特に、第１データに対応する帯域幅単位がない場合がある。例えば、該キャリアに含まれる帯域幅単位の構成が上記のＬＢＴ  ｓｕｂ−ｂａｎｄ  １及びＬＢＴ  ｓｕｂ−ｂａｎｄ  ２である場合、ＴＢ３は、何れのＬＢＴ  ｓｕｂ−ｂａｎｄにも対応できない。
【００６１】
もう１つの態様では、該第１データを送信するための周波数領域リソースの少なくとも一部が１つの帯域幅単位の帯域幅範囲内に位置する場合、該帯域幅単位は、該第１データに対応する帯域幅単位であると判断する。言い換えれば、第１データを送信するための周波数領域リソースの少なくとも一部が特定の帯域幅単位の帯域幅範囲内に位置する限り、該第１データが該帯域幅単位に対応すると判断する。
【００６２】
図６を例として、この態様では、ＴＢ１は、ＬＢＴ  ｓｕｂ−ｂａｎｄ  １及び／又はＬＢＴ  ｓｕｂ−ｂａｎｄ  ３に対応してもよく、ＴＢ２は、ＬＢＴ  ｓｕｂ−ｂａｎｄ  ２及び／又はＬＢＴ  ｓｕｂ−ｂａｎｄ  ３に対応してもよく、ＴＢ３は、ＬＢＴ  ｓｕｂ−ｂａｎｄ  １、及び／又はＬＢＴ  ｓｕｂ−ｂａｎｄ  ２、及び／又はＬＢＴ  ｓｕｂ−ｂａｎｄ  ３に対応してもよい。
【００６３】
この態様では、同様に、第１データが１つの帯域幅単位に対応するか、それとも複数の帯域幅単位に対応するかは、１つのキャリアに含まれる帯域幅単位の構成に依存する。具体的な方式は、上記の態様の通りであり、ここでその説明を省略する。
【００６４】
本実施例のステップ２０２において、第１データを送信するための周波数領域リソースに基づいて該第１データに対応する帯域幅単位を決定することに加えて、以下の情報のうちの少なくとも１つに基づいて、該第１データに対応する帯域幅単位を決定してもよい。
【００６５】
該第１データを送信するためのチャネルアクセス優先度、
該第１データを送信するためのサブキャリア間隔、
該第１データを送信するための時間領域リソースの位置、
該第１データに対応するハイブリッド自動再送プロセス（ＨＡＲＱ  ｐｒｏｃｅｓｓ）、及び
該第１データの関連情報の時間周波数リソースの位置。
【００６６】
本実施例では、チャネルアクセス優先度、サブキャリア間隔、該第１データの時間領域リソースの位置、ＨＡＲＱ  ｐｒｏｃｅｓｓ、及び第１データの関連情報の時間周波数リソースの位置と、帯域幅単位とは対応関係を有してもよい。これによって、送信装置は、上記の情報及び該対応関係に基づいて、該第１データに対応する帯域幅単位を決定してもよい。例えば、チャネルアクセス優先度と帯域幅単位との間には、対応関係がある。図６の例では、チャネルアクセス優先度１がＬＢＴ  ｓｕｂ−ｂａｎｄ  １に対応し、チャネルアクセス優先度２がＬＢＴ  ｓｕｂ−ｂａｎｄ  ２に対応する場合、ＴＢ１がチャネルアクセス優先度１を用いて送信を行うとき、ＴＢ１はＬＢＴ  ｓｕｂ−ｂａｎｄ  １に対応してもよく、ＴＢ１がチャネルアクセス優先度２を用いて送信を行うとき、ＴＢ１はＬＢＴ  ｓｕｂ−ｂａｎｄ  ２に対応してもよい。
【００６７】
本実施例では、第１データに対応する帯域幅単位を決定する方式は、予め定義されてもよいし、予め構成されてもよく、例えば、周波数帯域に基づいて予め定義され、異なる周波数帯域について異なる方式を採用してもよいが、本実施例はこれに限定されない。さらに、この態様では、送信装置が端末装置である場合、上記の第１データに対応する帯域幅単位はネットワーク装置により指示されてもよい。例えば、該送信装置は、ネットワーク装置により送信された、該第１データに対応する帯域幅単位を指示するための情報（第２情報と称する）を受信し、該情報に基づいて該第１データに対応する帯域幅単位を決定してもよい。
【００６８】
本実施例の上記のステップ２０２において、第１データに対応する帯域幅単位に関連付けられたＣＷについて、１つの態様では、１組のＣＷが１つの帯域幅単位に関連付けられ、このグループ内の各ＣＷが１つのチャネルアクセス優先度にそれぞれ用いられる（異なるチャネルアクセス優先度に対応する候補ＣＷ集合の値の範囲は異なる）。この態様では、上記の第１データに対応する帯域幅単位のチャネルアクセスプロセスは、該帯域幅単位に関連付けられたＣＷを用いてランダムバックオフカウンタの初期値を生成する。もう１つの態様では、１組のＣＷが２つ以上の帯域幅単位に関連付けられ、このグループ内の各ＣＷが１つのチャネルアクセス優先度にそれぞれ用いられる。この態様では、上記の第１データに対応する帯域幅単位のチャネルアクセスプロセスは、該帯域幅単位に関連付けられたＣＷを用いてランダムバックオフカウンタの初期値を生成し、或いは、上記の第１データに対応する帯域幅単位のうちの１つの帯域幅単位のチャネルアクセスプロセスは、該帯域幅単位に関連付けられたＣＷを用いてランダムバックオフカウンタの初期値を生成し、該１つの帯域幅単位と同一のＣＷに関連付けられた他の帯域幅単位は、該１つの帯域幅単位のチャネルアクセスに成功した場合、チャネルに速やかにアクセスしてもよい。
【００６９】
本実施例の上記ステップ２０２において、送信装置は、第１データの一部のデータの受信状況に基づいて、該一部のデータに対応する帯域幅単位に関連付けられたコンテンションウィンドウを調整してもよいし、該第１データの受信状況に基づいて、該第１データの一部のデータに対応する帯域幅単位に関連付けられたコンテンションウィンドウを調整してもよい。
【００７０】
本実施例では、上記の第１データの受信状況又は上記の第１データの一部のデータの受信状況は、該第１データの関連情報により決定されてもよい。
【００７１】
例えば、該第１データの関連情報は、第１データの受信状況（ＡＣＫ／ＮＡＣＫ）を示すために用いられてもよい。送信装置がネットワーク装置である場合、該第１データの関連情報は、例えば、アップリンク制御情報（ＵＣＩ）におけるハイブリッド自動再送要求確認応答（ＨＡＲＱ−ＡＣＫ）情報である。送信装置が端末装置である場合、該第１データの関連情報は、例えば、アップリンク許可（ＵＬ  ｇｒａｎｔ）を含むダウンリンク制御情報（ＤＣＩ）におけるＨＡＲＱ  ｐｒｏｃｅｓｓ、及び新しいデータインジケータ（ＮＤＩ：Ｎｅｗ  Ｄａｔａ  Ｉｎｄｉｃａｔｏｒ）又はＤＣＩにおけるＨＡＲＱ−ＡＣＫ情報である。例えば、ＵＬ  ｇｒａｎｔにおけるＨＡＲＱ  ｐｒｏｃｅｓｓ  ｎｕｍｂｅｒ／ＩＤが第１データにおけるＨＡＲＱ  ｐｒｏｃｅｓｓ  ｎｕｍｂｅｒ／ＩＤと同一であり、且つＮＤＩが逆になっている場合、第１データの受信に成功したと判断する。
【００７２】
本実施例では、第１データの関連情報は、例えば、以下のフォーマットである。
【００７３】
ＴＢ−ｂａｓｅｄ：即ち、第１データの関連情報は、１つのＴＢの受信に成功したか否かを示すために用いられる。
【００７４】
ＣＢＧ−ｂａｓｅｄ：即ち、第１データの関連情報は、１つのＴＢの各ＣＢＧの受信に成功したか否かを示すために用いられる。例えば、１つのＴＢに２つのＣＢＧが含まれる場合、第１データの関連情報には２ビットが含まれ、各ビットは、ＣＢＧの受信に成功したか否かをそれぞれ示す。
【００７５】
ＣＢ−ｂａｓｅｄ：即ち、第１データの関連情報は、１つのＴＢの各ＣＢの受信に成功したか否かを示す。
【００７６】
帯域幅単位ｂａｓｅｄ（に基づくもの）：即ち、第１データの関連情報は、１つのＴＢに対応する異なる帯域幅単位でのデータの受信に成功したか否かを示す。ここで、異なる帯域幅単位は、周波数領域で重複していない。また、異なる帯域幅単位でのデータは、第１データの整数個又は非整数個のＣＢ／ＣＢＧを含んでもよい。帯域幅単位がＬＢＴ  ｓｕｂ−ｂａｎｄであることを一例にすると、第１データの関連情報は、異なるＬＢＴ  ｓｕｂ−ｂａｎｄのチャネル条件を反映するように、１つのＴＢに対応する異なるＬＢＴ  ｓｕｂ−ｂａｎｄでのデータの受信に成功したか否かを示す。ここで、図４に示すＬＢＴ  ｓｕｂ−ｂａｎｄ  １及びＬＢＴ  ｓｕｂ−ｂａｎｄ  ２、図５に示すＬＢＴ  ｓｕｂ−ｂａｎｄ  １〜ＬＢＴ  ｓｕｂ−ｂａｎｄ  ４のように、データは、第１データの整数個又は非整数個のＣＢ／ＣＢＧ（ＣＢ又はＣＢＧ）を含み、且つ、ここの異なるＬＢＴ  ｓｕｂ−ｂａｎｄは周波数領域で重複していない。
【００７７】
１つの態様では、送信装置は、上記の第１データを送信した後に、該第１データの関連情報を監視して受信する。受信装置は、第１データを受信した後に、上記の方式に従って第１データの関連情報を送信する。これによって、該送信装置は、該第１データの関連情報を正常に受信した場合、該第１データの受信状況又は該第１データの一部のデータの受信状況を決定し、該一部のデータに対応する帯域幅単位に関連付けられたＣＷを調整する。該送信装置は、一定の時間内に該第１データの関連情報を正常に受信していない場合、該第１データの関連情報の受信状況に基づいて、該第１データの受信状況又は該第１のデータの一部のデータの受信状況を決定してもよい。例えば、該第１データの関連情報を正常に受信していないため、該第１データの相関情報により指示される第１データの受信状況が受信失敗（ＮＡＣＫ）を示すと判断し、該一部のデータに対応する帯域幅単位に関連付けられたＣＷを調整してもよい。或いは、該第１データの関連情報が受信されていないため、第１データの受信状況が受信失敗（ＮＡＣＫ）であると判断し、該一部のデータに対応する帯域幅単位に関連付けられたＣＷを調整してもよい。
【００７８】
本実施例のステップ２０２において、第１データの関連情報又は第１データの関連情報の受信状況に基づいて第１データ又は第１データの一部のデータの受信状況を決定した後に、送信装置は、それに基づいて、該第１データ又は該一部のデータに対応する帯域幅単位に関連付けられたＣＷを調整してもよい。
【００７９】
本実施例の１つの態様では、送信装置は、第１データの受信状況に基づいて、該第１データに対応する帯域幅単位に関連付けられたコンテンションウィンドウを調整する。
【００８０】
この態様では、第１データは少なくとも１つの帯域幅単位に対応し、第１データを送信するための全ての周波数領域リソースはそれに対応する帯域幅単位に位置し、即ち、この態様の第１データは対応する帯域幅単位に跨らない。図６に示すように、ＴＢ２を送信するための周波数領域リソースが全てＬＢＴ  ｓｕｂ−ｂａｎｄ  ２内に位置し、且つ全てＬＢＴ  ｓｕｂ−ｂａｎｄ  ３内に位置するため、ＴＢ２はＬＢＴ  ｓｕｂ−ｂａｎｄ  ２及び／又はＬＢＴ  ｓｕｂ−ｂａｎｄ  ３に対応してもよい。同様に、ＴＢ１を送信するための周波数領域リソースが全てＬＢＴ  ｓｕｂ−ｂａｎｄ  １内に位置し、且つ全てＬＢＴ  ｓｕｂ−ｂａｎｄ  ３内に位置するため、ＴＢ１はＬＢＴ  ｓｕｂ−ｂａｎｄ  １及び／又はＬＢＴ  ｓｕｂ−ｂａｎｄ  ３に対応してもよい。同様に、ＴＢ３を送信するための周波数領域リソースが全てＬＢＴ  ｓｕｂ−ｂａｎｄ  ３内に位置するため、ＴＢ３はＬＢＴ  ｓｕｂ−ｂａｎｄ  ３に対応してもよい。しかし、ＴＢ３を送信するための周波数領域リソースの一部がＬＢＴ  ｓｕｂ−ｂａｎｄ  １内に位置し、且つ他部がＬＢＴ  ｓｕｂ−ｂａｎｄ  ２内に位置するため、ＴＢ３はＬＢＴ  ｓｕｂ−ｂａｎｄ  １及びＬＢＴ  ｓｕｂ−ｂａｎｄ  ２に対応しない。
【００８１】
この態様では、送信装置は、該第１データの受信状況に基づいて、それに対応する帯域幅単位に関連付けられたＣＷを調整してもよく、言い換えれば、該第１データ又は該第１データの受信状況は、該第１データに対応する帯域幅単位に関連付けられたＣＷの調整に用いられてもよい。逆に、第１データを送信するためのリソースの一部が１つの帯域幅単位の帯域幅内にあり、リソースの他部が該帯域幅単位外にある場合、送信装置は、該第１データの関連情報に基づいて該帯域幅単位の関連情報を調整しない。言い換えれば、該第１データ又は該第１データの関連情報は、該帯域幅単位に関連付けられたＣＷの調整に用いられない。言い換えれば、第１データには帯域幅単位に対応しない部分がある場合、該第１データの関連情報はＣＷの調整に用いられない。例えば、図６に示すように、該キャリアにＬＢＴ  ｓｕｂ−ｂａｎｄ  １とＬＢＴ  ｓｕｂ−ｂａｎｄ  ２のみが構成されている場合、この態様では、ＴＢ３は何れのＬＢＴ  ｓｕｂ−ｂａｎｄにも対応せず、ＴＢ３は何れのＬＢＴ  ｓｕｂ−ｂａｎｄに関連付けられたＣＷの調整にも用いられない。
【００８２】
この態様では、第１データが２つ以上のＬＢＴ  ｓｕｂ−ｂａｎｄに対応し、且つこの２つ以上のＬＢＴ  ｓｕｂ−ｂａｎｄのうちの少なくとも２つが同一のＣＷグループに関連付けられている場合、該ＣＷを調整し、該第１データ又は第１データにおける各ＴＢ又は各ＣＢ又は各ＣＢＧについて、ＡＣＫ／ＮＡＣＫを１回のみ計数する。言い換えれば、同一のＣＷグループについて、第１データ又は第１データにおける各ＴＢ又は各ＣＢ又は各ＣＢＧは、１回のＡＣＫ／ＮＡＣＫのみとして計数され、繰り返し計数されない。
【００８３】
図６を一例として、ＴＢ１がＬＢＴ  ｓｕｂ−ｂａｎｄ  １及びＬＢＴ  ｓｕｂ−ｂａｎｄ  ３に対応し、且つＬＢＴ  ｓｕｂ−ｂａｎｄ  １及びＬＢＴ  ｓｕｂ−ｂａｎｄ  ３が同一のグループＣＷ１に関連付けられていると仮定すると、ＣＷ１の調整では、該ＴＢ１についてＡＣＫ／ＮＡＣＫを１回計数し、或いは該ＴＢ１における各ＣＢについてＡＣＫ／ＮＡＣＫを１回計数し、或いは該ＴＢ１における各ＣＢＧについてＡＣＫ／ＮＡＣＫを１回計数し、繰り返し計数しない。
【００８４】
本実施例のもう１つの態様では、送信装置は、第１データの一部のデータの受信状況に基づいて、該一部のデータに対応する帯域幅単位に関連付けられたＣＷを調整する。
【００８５】
この態様では、該一部のデータは、該一部のデータに対応する帯域幅単位の帯域幅範囲内で送信される。
【００８６】
この態様では、第１データは少なくとも１つの帯域幅単位に対応し、且つ第１データを送信するための周波数領域リソースの一部は、それに対応する帯域幅単位の帯域幅範囲内に位置し、即ち、この態様の第１データは帯域幅単位に跨る場合がある。図６に示すＴＢ３がＬＢＴ  ｓｕｂ−ｂａｎｄ  １及びＬＢＴ  ｓｕｂ−ｂａｎｄ  ２に跨っている。この態様では、第１データを送信するための周波数領域リソースの一部が該第１データに対応する帯域幅単位の帯域幅範囲内に位置し、他の部分が該帯域幅単位の帯域幅範囲外に位置する可能性がある。この態様では、該送信装置は、該帯域幅範囲内に位置する周波数領域リソースにより搬送されている第１データの一部のデータの受信条件に基づいて、この部分のデータに対応する帯域幅単位に関連付けられたＣＷを調整してもよい。この態様では、上記の一部のデータは、整数個又は非整数個のＣＢ／ＣＢＧを含んでもよい。
【００８７】
この態様では、上記の一部のデータについて、受信が成功したか否か（ＡＣＫ／ＮＡＣＫ）を１回計数してもよい。例えば、この一部のデータにおける整数個のＣＢ／ＣＢＧ、又は非整数個のＣＢ／ＣＢＧの全ての受信に成功した場合、ＡＣＫとして計数し、そうでない場合、ＮＡＣＫとして計数する。或いは、この一部のデータにおける１つのＣＢ／ＣＢＧの受信に成功した場合、ＡＣＫとして計数し、そうでない場合、ＮＡＣＫとして計数する。或いは、上記の一部のデータにおける１つの完全なＣＢ／ＣＢＧについて、受信に成功したか否かを１回計数し、上記の一部のデータにおける不完全なＣＢ／ＣＢＧについて、計数しなくてもよい。或いは、調整因子を導入することにより、上記の一部のデータにおける整数個のＣＢ／ＣＢＧ、又は非整数個のＣＢ／ＣＢＧについて計数を行う。以下は一例を説明する。
【００８８】
図７は帯域幅単位の分割のもう１つの概略図である。図７に示すように、上記の一部のデータに第１データにおける整数個のＣＢ／ＣＢＧが含まれている場合、例えば、ＴＢ１はＬＢＴ  ｓｕｂ  ｂａｎｄ  １及びＬＢＴ  ｓｕｂ  ｂａｎｄ  ２に対応し、ここで、ＴＢ１におけるＣＢ０及びＣＢ１は、それぞれＬＢＴ  ｓｕｂ  ｂａｎｄ  ２及びＬＢＴ  ｓｕｂ  ｂａｎｄ  １に関連付けられたＣＷの調整に用いられる。第１データの関連情報がＣＢＧ−ｂａｓｅｄ又はＣＢ−ｂａｓｅｄである場合、第１データの関連情報は、ＣＢ０の受信に成功し（ＡＣＫ）、且つＣＢ１の受信が失敗する（ＮＡＣＫ）ことを示す可能性があり、両者はそれぞれＬＢＴ  ｓｕｂ  ｂａｎｄ  ２及びＬＢＴ  ｓｕｂ  ｂａｎｄ  １に関連付けられたＣＷの調整に用いられることで、ＣＷの調整結果を実際のチャネル条件に合致させることができる。
【００８９】
上記の一部のデータに第１データにおける非整数個のＣＢ／ＣＢＧ（不完全なＣＢ／ＣＢＧ）が含まれている場合、以下のようになる。
【００９０】
１つの例では、上記の不完全なＣＢ／ＣＢＧは、帯域幅単位に関連するＣＷの調整に用いられなくてもよい。図７に示すように、ＴＢ２のＣＢ０のデータ受信状況は、ＬＢＴ  ｓｕｂ  ｂａｎｄ  及びＬＢＴ  ｓｕｂ  ｂａｎｄ  ２に関連付けられたＣＷの調整に用いられない。これは、ＣＢ０の受信失敗がどのＬＢＴ  ｓｕｂ  ｂａｎｄにより引き起こされたかを特定できなく、該ＣＢ０を無視すると、ＣＷの調整結果を実際のチャネル条件により合致させることができるからである。
【００９１】
もう１つの例では、上記の一部のデータに因子（第１因子と称し、ａ１及びａ２で表される）を導入してＡＣＫ／ＮＡＣＫを計数してもよい。例えば、不完全なＣＢ／ＣＢＧについて、該不完全なＣＢ／ＣＢＧの受信状況がＡＣＫである場合、ａ１≦１回のＡＣＫとして計数し、該不完全なＣＢ／ＣＢＧの受信状況がＮＡＣＫである場合、ａ２＞１回のＮＡＣＫとして計数する。或いは、該不完全なＣＢ／ＣＢＧの受信状況について、（ａ１＝ａ２）＜１回のＡＣＫ／ＮＡＣＫとして計数する。この例では、ａ１及びａ２の値は、該ＣＢ／ＣＢＧの所在する帯域幅単位の数及び／又は該ＣＢ／ＣＢＧの所在する帯域幅単位に関連付けられたＣＷの数に基づいて決定されてもよく、本実施例はこれに限定されない。これによって、該送信装置は、第１因子に基づいて、該一部のデータに対応する帯域幅単位に関連付けられたコンテンションウィンドウを調整することができる。ここで、第１因子は、該一部のデータにおけるＣＢ／ＣＢＧの受信状況を計数するために用いられてもよい。
【００９２】
もう１つの例では、上記の不完全なＣＢ／ＣＢＧの所在する２つ以上のＬＢＴ  ｓｕｂ  ｂａｎｄが同一のＣＷグループに関連付けられている場合、該不完全なＣＢ／ＣＢＧをＣＷの調整に用いてもよく、該不完全なＣＢ／ＣＢＧについて１回のＡＣＫ／ＮＡＣＫとして計数してもよい。図７に示すように、ＴＢ２のＣＢ０は２つのＬＢＴ  ｓｕｂ  ｂａｎｄ、即ちＬＢＴ  ｓｕｂ  ｂａｎｄ  １及びＬＢＴ  ｓｕｂ  ｂａｎｄ  ２に跨っている場合、ＬＢＴ  ｓｕｂ  ｂａｎｄ  １及びＬＢＴ  ｓｕｂ  ｂａｎｄ  ２が同一のＣＷグループに関連付けられているとき、該ＴＢ２のＣＢ０は、１回のＡＣＫ／ＮＡＣＫとして計数してもよく、即ち、同一のＣＷの調整について繰り返し計数しない。
【００９３】
本実施例のもう１つの態様では、送信装置は、該第１データの受信状況に基づいて、該第１データの一部のデータに対応する帯域幅単位に関連付けられたコンテンションウィンドウを調整してもよい。
【００９４】
この態様では、該一部のデータは、該一部のデータに対応する帯域幅単位の帯域幅範囲内で送信される。
【００９５】
この態様では、第１データが少なくとも１つの帯域幅単位に対応し、第１データを送信するための周波数領域リソースの一部が１つの帯域幅単位の帯域幅範囲内にあり、他の部分が該帯域幅単位の帯域幅範囲外にある場合、送信装置は、該第１データの受信状況に基づいて、該帯域幅単位（即ち、上記の一部のデータに対応する帯域幅単位）に関連付けられたＣＷを調整してもよい。
【００９６】
この態様では、該送信装置は、該帯域幅単位のＣＷを調整する際に第１データを用いなくてもよい。これは、第１データの受信失敗がどの帯域幅単位により引き起こされたかを特定できなく、該第１データを無視することで、ＣＷ調整結果を実際のチャネル条件により合致させることができるからである。
【００９７】
この態様では、上記の態様と同様に、因子（第２因子と称し、ｂ１及びｂ２で表される）を導入してＡＣＫ／ＮＡＣＫを計数し、該第１データの受信状況に基づいて上記の一部のデータに対応する帯域幅単位に関連付けられたＣＷを調整してもよい。
【００９８】
例えば、第１データの受信に成功した場合、ｂ１≦１回のＡＣＫとして計数し、ここで、第１データにおけるＴＢ／ＣＢ／ＣＢＧの受信が何れも成功した場合、ＡＣＫとして計数し、そうでない場合、ＮＡＣＫとして計数し、ＮＡＣＫの場合、ｂ２≦１回のＮＡＣＫとして計数する。或いは、該第１データの受信状況を（ｂ１＝ｂ２）＜１回のＡＣＫ／ＮＡＣＫとして計数する。ここで、ｂ１及びｂ２の値は、該ＣＢ／ＣＢＧの所在する帯域幅単位の数及び／又は該ＣＢ／ＣＢＧの所在する帯域幅単位に関連付けられたＣＷの数に基づいて決定されてもよい。これによって、該送信装置は、第２因子に基づいて、該一部のデータに対応する帯域幅単位に関連付けられたコンテンションウィンドウを調整することができる。ここで、第２因子は、該第１データにおけるＴＢ、ＣＢ又はＣＢＧの受信状況を計数するために用いられてもよい。
【００９９】
この態様では、上記の態様と同様に、上記の不完全なＣＢ／ＣＢＧの所在する２つ以上の帯域幅単位が同一のＣＷグループに関連付けられている場合、該不完全なＣＢ／ＣＢＧをＣＷの調整に用いてもよく、該不完全なＣＢ／ＣＢＧについて１回のＡＣＫ／ＮＡＣＫとして計数してもよい。或いは、完全なＣＢ／ＣＢＧと不完全なＣＢ／ＣＢＧとを区別せずに、第１データに対応する全ての帯域幅単位が同一のＣＷグループに関連付けられている場合、調整方法を簡略化するように、第１データの受信状況に基づいて該ＣＷを調整する。
【０１００】
本実施例のもう１つの態様では、第１データに対応する帯域幅単位が２つ以上あり、且つ該２つ以上の帯域幅単位のうちの少なくとも２つが同一のコンテンションウィンドウに関連付けられている場合、この態様では、送信装置は、該第１データの受信状況に基づいて、該第１データに対応する該少なくとも２つの帯域幅単位に関連付けられたコンテンションウィンドウを調整してもよい。
【０１０１】
この態様では、第１データは、それに対応する該２つ以上の帯域幅単位の帯域幅範囲内で送信される。
【０１０２】
この態様では、第１データと帯域幅単位との対応関係は、上記の２つのパターンを含み、即ち、第１のパターンとして、第１データを送信するための全ての周波数領域リソースが１つの帯域幅単位内に位置し、該第１データが該帯域幅単位に対応すると判断し、第２のパターンとして、第１データを送信するための周波数領域リソースの一部が１つの帯域幅単位内に位置し、該第１データが該帯域幅単位に対応すると判断する。
【０１０３】
第１のパターンでは、即ち第１データを送信するための全ての周波数領域リソースが１つの帯域幅単位内に位置する場合、該第１データが該帯域幅単位に対応すると判断する。図６を一例にすると、ＴＢ１はＬＢＴ  ｓｕｂ  ｂａｎｄ  １及び／又はＬＢＴ  ｓｕｂ  ｂａｎｄ  ３に対応してもよく、ＴＢ２はＬＢＴ  ｓｕｂ  ｂａｎｄ  ２及び／又はＬＢＴ  ｓｕｂ  ｂａｎｄ  ３に対応してもよく、ＴＢ３はＬＢＴ  ｓｕｂ  ｂａｎｄ  ３にのみ対応する。図７を一例にすると、ＴＢ１及びＴＢ２もＬＢＴ  ｓｕｂ  ｂａｎｄ  １又はＬＢＴ  ｓｕｂ  ｂａｎｄ  ２に対応できない。
【０１０４】
第１データに対応する２つ以上の帯域幅単位のうち少なくとも２つの帯域幅単位が同一のＣＷに関連付けられている場合、送信装置は、該第１データの受信状況に基づいて、該少なくとも２つの帯域幅単位に関連付けられているＣＷを調整してもよい。
【０１０５】
図６のＴＢ１を一例にすると、ＴＢ１がＬＢＴ  ｓｕｂ  ｂａｎｄ  １及びＬＢＴ  ｓｕｂ  ｂａｎｄ  ３に対応し、ＬＢＴ  ｓｕｂ  ｂａｎｄ  １及びＬＢＴ  ｓｕｂ  ｂａｎｄ  ３が同一のＣＷに関連付けられている場合、送信装置は、該ＴＢ１の受信状況に基づいてＬＢＴ  ｓｕｂ  ｂａｎｄ  １及びＬＢＴ  ｓｕｂ  ｂａｎｄ  ３に関連付けられたＣＷを調整してもよい。
【０１０６】
該第１のパターンでは、該第１データ又は第１データにおける１つのＴＢ、１つのＣＢ若しくは１つのＣＢＧは、１回のＡＣＫ／ＮＡＣＫのみとして計数する。即ち、同一のＣＷグループについて、第１データ又は第１データにおける１つのＴＢ、１ＣＢ又は１ＣＢＧの受信状況について繰り返し計数しない。
【０１０７】
第２のパターンでは、即ち、第１データを送信するための周波数領域リソースの一部が１つの帯域幅単位内に位置し、該第１データが該帯域幅単位に対応すると判断する。図６を一例にすると、ＴＢ１はＬＢＴ  ｓｕｂ  ｂａｎｄ  １及び／又はＬＢＴ  ｓｕｂ  ｂａｎｄ  ３に対応してもよく、ＴＢ２はＬＢＴ  ｓｕｂ  ｂａｎｄ  ２及び／又はＬＢＴ  ｓｕｂ  ｂａｎｄ  ３に対応してもよく、ＴＢ３はＬＢＴ  ｓｕｂ  ｂａｎｄ  １、ＬＢＴ  ｓｕｂ  ｂａｎｄ  ２及び／又はＬＢＴ  ｓｕｂ  ｂａｎｄ  ３に対応してもよい。図７を一例にすると、ＴＢ１及びＴＢ２は何れもＬＢＴ  ｓｕｂ  ｂａｎｄ  １及びＬＢＴ  ｓｕｂ  ｂａｎｄ  ２に対応できる。
【０１０８】
第１データに対応する２つ以上の帯域幅単位のうちの少なくとも２つが同一のＣＷに関連付けられている場合、送信装置は、該第１データの受信状況に基づいて、該少なくとも２つの帯域幅単位に関連付けられているＣＷを調整してもよい。また、該少なくとも２つの帯域幅単位に対応する第１データの部分は、完全に同一のものではない。例えば、図６では、ＴＢ３がＬＢＴ  ｓｕｂ  ｂａｎｄ  １及びＬＢＴ  ｓｕｂ  ｂａｎｄ  ３に対応する場合、ＬＢＴ  ｓｕｂ  ｂａｎｄ  １に対応するＴＢ３の部分とＬＢＴ  ｓｕｂ  ｂａｎｄ  ３に対応するＴＢ３の部分とは完全に同一のものではない。また、例えば、図７では、ＴＢ１及びＴＢ２がＬＢＴ  ｓｕｂ  ｂａｎｄ  １及びＬＢＴ  ｓｕｂ  ｂａｎｄ  ２に対応する場合、ＬＢＴ  ｓｕｂ  ｂａｎｄ  １に対応するＴＢ１又はＴＢ２の部分とＬＢＴ  ｓｕｂ  ｂａｎｄ  ２に対応するＴＢ１又はＴＢ２の部分とは完全に同一のものではない。
【０１０９】
図７に示すＴＢ１を一例にすると、ＴＢ１がＬＢＴ  ｓｕｂ  ｂａｎｄ  １及びＬＢＴ  ｓｕｂ  ｂａｎｄ  ２に対応し、且つＬＢＴ  ｓｕｂ  ｂａｎｄ  １及びＬＢＴ  ｓｕｂ  ｂａｎｄ  ２が同一のＣＷに関連付けられている場合、送信装置は、ＴＢ１の受信状況に基づいて、ＬＢＴ  ｓｕｂ  ｂａｎｄ  １及びＬＢＴ  ｓｕｂ  ｂａｎｄ  ２に関連付けられたＣＷを調整してもよい。
【０１１０】
この例では、送信装置は、第１データの一部のデータ（例えば、ＣＢ０又はＣＢ１）の受信状況に基づいて、該少なくとも２つの帯域幅単位（ＬＢＴ  ｓｕｂ  ｂａｎｄ  １及びＬＢＴ  ｓｕｂ  ｂａｎｄ  ２）に関連付けられたＣＷを調整してもよい。この場合、１つのＣＢ／ＣＢＧは、１回のＡＣＫ／ＮＡＣＫとして計数してもよい。
【０１１１】
この例では、送信装置は、該第１データの全体（ＴＢ１）の受信状況に基づいて、該少なくとも２つの帯域幅単位（ＬＢＴ  ｓｕｂ  ｂａｎｄ  １及びＬＢＴ  ｓｕｂ  ｂａｎｄ  ２）に関連付けられたＣＷを調整してもよい。この場合、１つのＴＢ、又は１つのＣＢ／ＣＢＧは、１回のＡＣＫ／ＮＡＣＫとして計数してもよい。
【０１１２】
図７に示すＴＢ２を一例にすると、ＴＢ２がＬＢＴ  ｓｕｂ  ｂａｎｄ  １及びＬＢＴ  ｓｕｂ  ｂａｎｄ  ２に対応し、且つＬＢＴ  ｓｕｂ  ｂａｎｄ  １及びＬＢＴ  ｓｕｂ  ｂａｎｄ  ２が同一のＣＷに関連付けられている場合、送信装置は、ＴＢ２の受信状況に基づいてＬＢＴ  ｓｕｂ  ｂａｎｄ  １及びＬＢＴ  ｓｕｂ  ｂａｎｄ  ２に関連付けられたＣＷを調整してもよい。
【０１１３】
この例では、送信装置は、第１データの一部のデータ（例えば、破線より上の部分又は破線より下の部分）の受信状況に基づいて、該少なくとも２つの帯域幅単位（ＬＢＴ  ｓｕｂ  ｂａｎｄ  １及びＬＢＴ  ｓｕｂ  ｂａｎｄ  ２）に関連付けられたＣＷを調整してもよい。この場合、１つのＣＢ／ＣＢＧは、１回のＡＣＫ／ＮＡＣＫとして計数してもよい。
【０１１４】
この例では、送信装置は、該第１データの全体（ＴＢ２）の受信状況に基づいて、該少なくとも２つの帯域幅単位（ＬＢＴ  ｓｕｂ  ｂａｎｄ  １及びＬＢＴ  ｓｕｂ  ｂａｎｄ  ２）に関連付けられたＣＷを調整してもよい。この場合、１つのＴＢ、又は１つのＣＢ／ＣＢＧは、１回のＡＣＫ／ＮＡＣＫとして計数してもよい。
【０１１５】
第２のパターンでは、該第１データの一部のデータに整数個のＣＢ／ＣＢＧの整数が含まれる場合がある。図７に示すように、ＴＢ１の一部のデータ（破線より上のデータ又は破線より下のデータ）はＣＢ１又はＣＢ０であり、即ち、この部分のデータに整数個のＣＢが含まれる。該第１データの一部のデータに整数個のＣＢ／ＣＢＧ及び非整数個のＣＢ／ＣＢＧが含まれる場合がある。図７に示すように、ＴＢ２の一部のデータ（破線より上のデータ）はＣＢ１の全部及びＣＢ０の一部である。或いは、該第１データの一部のデータに非整数個のＣＢ／ＣＢＧのみが含まれる場合があり、図７に示すように、ＴＢ２の一部のデータ（破線より下のデータ）はＣＢ０の一部である。
【０１１６】
本実施例の方法によれば、２つ以上の帯域幅単位（例えばＬＢＴ  ｓｕｂ−ｂａｎｄ／ＬＢＴ  ｃｈａｎｎｅｌ）を含む１つのキャリアでデータ（第１データと称する）を送信する場合、該データに対応する帯域幅単位に関連付けられたＣＷを調整することで、１つのキャリアが２つ以上の帯域幅単位に対応するシナリオにおいて従来のＣＷ調整方法が適用できないという問題を解決することができる。
【０１１７】
＜実施例２＞
本実施例２は、データ伝送方法を提供し、該方法は受信装置、例えば図１に示す通信システムの端末装置１０２又はネットワーク装置１０１に適用される。該方法は、実施例１の方法に対応する受信装置側の処理であり、実施例１と同様な内容についてその説明を省略する。
【０１１８】
図８は本発明の実施例のデータ伝送方法の１つの態様の概略図である。図８に示すように、該方法は以下のステップを含む。
【０１１９】
ステップ８０１：受信装置は、送信装置に第１情報を送信する。該第１情報は、１つのキャリアの２つ以上の帯域幅単位を示し、該送信装置は、該キャリアで第１データを送信し、該第１データに対応する帯域幅単位に関連付けられたコンテンションウィンドウ（ＣＷ）を調整する。
【０１２０】
本実施例では、該受信装置は、送信装置に第２情報を送信してもよい。該第２情報は、該第１データに対応する帯域幅単位を示す。
【０１２１】
図８の方法は、ネットワーク装置に適用されてもよい。即ち、ネットワーク装置（本実施例の受信装置である）は、端末装置（上記の送信装置である）に上記の第１情報及び第２情報を送信する。
【０１２２】
図９は本発明の実施例のデータ伝送方法のもう１つの態様の概略図である。図９に示すように、該方法は、以下のステップを含む。
【０１２３】
ステップ９０１：送信装置が第１データの関連情報に基づいて第１データの受信状況又は第１データの一部のデータの受信状況を決定し、且つ該第１データの受信状況又は該第１データの一部のデータの受信状況に基づいて該一部のデータに対応する帯域幅単位に関連付けられたコンテンションウィンドウを調整するように、受信装置は、送信装置に該第１データの関連情報を送信する。
【０１２４】
本実施例では、該第１データの関連情報は、１つのＴＢに対応する、異なる帯域幅単位でのデータの受信に成功したか否かを示してもよく、該異なる帯域幅単位は、周波数領域で重複していない。
【０１２５】
図９の方法は、ネットワーク装置に適用されてもよいし、端末装置に適用されてもよい。即ち、ネットワーク装置（本実施例の受信装置である）は、端末装置（上記の送信装置である）に該第１データの関連情報を送信してもよく、或いは、端末装置（本実施例の受信装置である）は、ネットワーク装置（上記の送信装置である）に該第１データの関連情報を送信してもよい。
【０１２６】
本実施例の方法によれば、２つ以上の帯域幅単位（例えばＬＢＴ  ｓｕｂ−ｂａｎｄ／ＬＢＴ  ｃｈａｎｎｅｌ）を含む１つのキャリアでデータ（第１データと称する）を送信する場合、該データに対応する帯域幅単位に関連付けられたＣＷを調整することで、１つのキャリアが２つ以上の帯域幅単位に対応するシナリオにおいて従来のＣＷ調整方法が適用できないという問題を解決することができる。
【０１２７】
＜実施例３＞
本実施例３は、コンテンションウィンドウの調整装置を提供し、該装置は送信装置に適用されてもよい。該装置の問題解決の原理は実施例１の方法と類似するため、その具体的な実施は実施例１の方法の実施を参考してもよく、同様な内容について説明を省略する。
【０１２８】
図１０は本発明の実施例のコンテンションウィンドウの調整装置の概略図である。図１０に示すように、コンテンションウィンドウの調整装置１０００は、送信部１００１及び調整部１００２を含む。送信部１００１は、１つのキャリアで第１データを送信する。該１つのキャリアは２つ以上の帯域幅単位を含む。調整部１００２は、該第１データに対応する帯域幅単位に関連付けられたコンテンションウィンドウ（ＣＷ）を調整する。
【０１２９】
本実施例では、該第１データに対応する帯域幅単位が少なくとも１つある。
【０１３０】
本実施例の１つの態様では、図１０に示すように、調整部１００２は、第１調整部１００２１を含んでもよい。第１調整部１００２１は、該第１データの一部のデータの受信状況に基づいて、該一部のデータに対応する帯域幅単位に関連付けられたコンテンションウィンドウを調整する。また、該第１調整部１００２１は、第１因子に基づいて、該一部のデータに対応する帯域幅単位に関連付けられたコンテンションウィンドウを調整してもよい。
【０１３１】
この態様では、該第１因子は、該一部のデータにおけるＣＢＧ又はＣＢの受信状況を計数するために用いられる。
【０１３２】
この態様では、該一部のデータにおける１つの完全なＣＢＧについて、受信に成功したか否かを１回として計数し、該一部のデータにおける１つの不完全なＣＢＧについて、計数せず、或いは、該一部のデータにおける１つの完全なＣＢについて、受信に成功したか否かを１回として計数し、該一部のデータにおける１つの不完全なＣＢについて、計数しない。或いは、該一部のデータについて、受信に成功したか否かを１回として計数する。
【０１３３】
この態様では、該一部のデータは、該一部のデータに対応する帯域幅単位の帯域幅範囲内で送信される。
【０１３４】
本実施例のもう１つの態様では、図１０に示すように、調整部１００２は、第２調整部１００２２をさらに含んでもよい。第２調整部１００２２は、該第１データの受信状況に基づいて、該第１データの一部のデータに対応する帯域幅単位に関連付けられたコンテンションウィンドウを調整する。
【０１３５】
この態様では、第２調整部１００２２は、第２因子に基づいて、該一部のデータに対応する帯域幅単位に関連付けられたコンテンションウィンドウを調整してもよい。
【０１３６】
この態様では、該第２因子は、該第１データにおけるＴＢ、ＣＢＧ又はＣＢの受信状況を計数するために用いられる。
【０１３７】
この態様では、該一部のデータは、該一部のデータに対応する帯域幅単位の帯域幅範囲内で送信される。
【０１３８】
本実施例のもう１つの態様では、該第１データに対応する帯域幅単位が２つ以上あり、且つ該２つ以上の帯域幅単位のうちの少なくとも２つが同一のコンテンションウィンドウに関連付けられる。この態様では、図１０に示すように、調整部１００２は、第３調整部１００２３をさらに含んでもよい。第３調整部１００２３は、該第１データの受信状況に基づいて、該第１データに対応する該少なくとも２つの帯域幅単位に関連付けられたコンテンションウィンドウを調整する。
【０１３９】
この態様では、該第１データにおける１つのＴＢ、ＣＢＧ又はＣＢについて、受信に成功したか否かを１回として計数する。
【０１４０】
この態様では、該第１データは、該第１データに対応する２つ以上の帯域幅単位の帯域幅範囲内で送信され、該少なくとも２つの帯域幅単位に対応する第１データの部分は、完全に同一であるものではない。
【０１４１】
本実施例では、図１０に示すように、コンテンションウィンドウの調整装置１０００は、第１決定部１００３をさらに含んでもよい。
【０１４２】
第１決定部１００３は、第１データを送信するための周波数領域リソースに基づいて、該第１データに対応する帯域幅単位を決定する。
【０１４３】
本実施例では、該第１データを送信するための周波数領域リソースが全て１つの帯域幅単位の帯域幅範囲内に位置する場合、該帯域幅単位は、該第１データに対応する帯域幅単位であり、或いは、該第１データを送信するための周波数領域リソースの少なくとも一部が１つの帯域幅単位の帯域幅範囲内に位置する場合、該帯域幅単位は、前記第１データに対応する帯域幅単位である。
【０１４４】
本実施例では、第１決定部１００３は、該第１データを送信するためのチャネルアクセス優先度、該第１データを送信するためのサブキャリア間隔、該第１データを送信するための時間領域リソースの位置、該第１データに対応するハイブリッド自動再送プロセス（ＨＡＲＱ  ｐｒｏｃｅｓｓ）、及び該第１データの関連情報の時間周波数リソースの位置のうちの少なくとも１つの情報に基づいて、該第１データに対応する帯域幅単位を決定してもよい。
【０１４５】
本実施例では、上述したように、コンテンションウィンドウの調整装置１０００は、ネットワーク装置に構成されてもよいし、端末装置に構成されてもよい。
【０１４６】
本実施例では、該第１データは、少なくとも１つの伝送ブロック（ＴＢ）を含んでもよく、各伝送ブロックは、１つ又は複数のコードブロック（ＣＢ）を含み、該１つ又は複数のコードブロックは、１つ又は複数のコードブロックグループ（ＣＢＧ）に分割される。
【０１４７】
本実施例では、該２つ以上の帯域幅単位のうちの少なくとも２つの帯域幅単位の帯域幅サイズ及び／又は周波数領域開始位置は異なる。
【０１４８】
本実施例では、該帯域幅単位は、リッスンビフォアトーク・チャネル（ＬＢＴ  ｃｈａｎｎｅｌ）又はリッスンビフォアトーク・サブバンド（ＬＢＴ  ｓｕｂ−ｂａｎｄ）である。
【０１４９】
本実施例では、コンテンションウィンドウの調整装置１０００はネットワーク装置に構成されてもよく、ネットワーク装置に構成されている場合、該キャリアはダウンリンクキャリアであり、図１０に示すように、コンテンションウィンドウの調整装置１０００は、構成部１００４をさらに含んでもよい。
【０１５０】
構成部１００４は、該ダウンリンクキャリアに含まれる該２つ以上の帯域幅単位を予め構成する。
【０１５１】
本実施例では、コンテンションウィンドウの調整装置１０００は端末装置に構成されてもよく、端末装置に構成されている場合、該キャリアはアップリンクキャリアであり、図１０に示すように、コンテンションウィンドウの調整装置１０００は、第１受信部１００５をさらに含んでもよい。
【０１５２】
第１受信部１００５は、ネットワーク装置により送信された第１情報を受信する。該第１情報は、該キャリアの２つ以上の帯域幅単位を示すために用いられる。
【０１５３】
本実施例では、コンテンションウィンドウの調整装置１０００は端末装置に構成されてもよく、端末装置に構成されている場合、該キャリアはアップリンクキャリアであり、図１０に示すように、コンテンションウィンドウの調整装置１０００は、第２受信部１００６をさらに含んでもよい。
【０１５４】
第２受信部１００６は、ネットワーク装置により送信された第２情報を受信する。該第２情報は、該第１データに対応する帯域幅単位を示すために用いられる。
【０１５５】
本実施例では、該帯域幅単位のチャネルアクセスプロセスは、該帯域幅単位に関連付けられたＣＷを用いてランダムバックオフカウンタの初期値を生成する。
【０１５６】
本実施例では、該帯域幅単位のうちの１つの帯域幅単位のチャネルアクセスプロセスは、該帯域幅単位に関連付けられたＣＷを用いてランダムバックオフカウンタの初期値を生成し、該１つの帯域幅単位と同一のＣＷに関連付けられた他の帯域幅単位は、該１つの帯域幅単位のチャネルアクセスに成功した場合、チャネルに速やかにアクセスする。
【０１５７】
本実施例では、図１０に示すように、コンテンションウィンドウの調整装置１０００は、第３受信部１００７をさらに含んでもよい。
【０１５８】
第３受信部１００７は、該第１データの関連情報を受信し、該第１データの関連情報に基づいて該第１データの受信状況又は該第１データの一部のデータの受信状況を決定する。
【０１５９】
ここで、該第１データの関連情報は、１つのＴＢに対応する異なる帯域幅単位でのデータの受信に成功したか否かを示し、該異なる帯域幅単位は、周波数領域で重複していない。
【０１６０】
ここで、該データは、該第１データの整数個又は非整数個のＣＢ又はＣＢＧを含む。
【０１６１】
本実施例では、図１０に示すように、コンテンションウィンドウの調整装置１０００は、第２決定部１００８をさらに含んでもよい。
【０１６２】
第２決定部１００８は、第１データの関連情報の受信状況に基づいて該第１データの受信状況又は該第１データの一部のデータの受信状況を決定する。
【０１６３】
本実施例の装置によれば、１つのキャリアが２つ以上の帯域幅単位に対応するシナリオにおいて従来のＣＷ調整方法が適用できないという問題を解決することができる。
【０１６４】
＜実施例４＞
本実施例４は、データ伝送装置を提供し、該装置は受信装置に適用されてもよい。該装置の問題解決の原理は実施例２の方法と類似するため、その具体的な実施は実施例２の方法の実施を参考してもよく、同様な内容について説明を省略する。
【０１６５】
図１１は本発明の実施例のデータ伝送装置の１つの態様の概略図であり、該装置はネットワーク装置に適用されてもよい。図１１に示すように、データ伝送装置１１００は、第１送信部１１０１を含む。第１送信部１１０１は、送信装置に第１情報を送信する。該第１情報は、１つのキャリアの２つ以上の帯域幅単位を示し、該送信装置は、該キャリアで第１データを送信し、該第１データに対応する帯域幅単位に関連付けられたコンテンションウィンドウ（ＣＷ）を調整する。
【０１６６】
本実施例では、図１１に示すように、データ伝送装置１１００は、第２送信部１１０２をさらに含んでもよい。
【０１６７】
第２送信部１１０２は、該送信装置に第２情報を送信する。該第２情報は、該第１データに対応する帯域幅単位を示す。
【０１６８】
図１２は本発明の実施例のデータ伝送装置のもう１つの態様の概略図であり、該装置は端末装置に構成されてもよい。図１２に示すように、データ伝送装置１２００は、第３送信部１２０１を含む。第３送信部１２０１は、送信装置が第１データの関連情報に基づいて第１データの受信状況又は第１データの一部のデータの受信状況を決定し、且つ該第１データの受信状況又は該第１データの一部のデータの受信状況に基づいて該一部のデータに対応する帯域幅単位に関連付けられたコンテンションウィンドウを調整するように、該送信装置に該第１データの関連情報を送信する。
【０１６９】
この態様では、該第１データの関連情報は、１つのＴＢに対応する異なる帯域幅単位でのデータの受信に成功したか否かを示し、該異なる帯域幅単位は、周波数領域で重複していない。
【０１７０】
本実施例の装置によれば、１つのキャリアが２つ以上の帯域幅単位に対応するシナリオにおいて従来のＣＷ調整方法が適用できないという問題を解決することができる。
【０１７１】
＜実施例５＞
本実施例５はネットワーク装置、例えばｇＮＢ（ＮＲにおける基地局）などを提供する。ここで、該ネットワーク装置は、実施例３に記載のコンテンションウィンドウの調整装置１０００又は実施例４に記載のデータ伝送装置１１００を含む。
【０１７２】
図１３は本発明の実施例５のネットワーク装置の概略図である。図１３に示すように、ネットワーク装置１３００は、中央処理装置（ＣＰＵ）１３０１及びメモリ１３０２を含んでもよく、メモリ１３０２は中央処理装置１３０１に接続される。メモリ１３０２は、各種のデータを記憶してもよいし、情報処理のプログラムをさらに記憶し、中央処理装置６０１の制御で該プログラムを実行し、端末装置に各種の情報を送信する。
【０１７３】
１つの態様では、実施例３のコンテンションウィンドウの調整装置１０００又は実施例４のデータ伝送装置１１００の機能は中央処理装置１３０１に統合され、ここで、中央処理装置１３０１により実施例３のコンテンションウィンドウの調整装置１０００又は実施例４のデータ伝送装置１１００の機能を実現してもよい。実施例３のコンテンションウィンドウの調整装置１０００又は実施例４のデータ伝送装置１１００の機能はここで援用し、その説明を省略する。
【０１７４】
もう１つの態様では、実施例３のコンテンションウィンドウの調整装置１０００又は実施例４のデータ伝送装置１１００は中央処理装置１３０１とそれぞれ配置されてもよく、例えば実施例３のコンテンションウィンドウの調整装置１０００又は実施例４のデータ伝送装置１１００は中央処理装置１３０１に接続されたチップであり、中央処理装置１３０１の制御により実施例３のコンテンションウィンドウの調整装置１０００又は実施例４のデータ伝送装置１１００の機能を実現してもよい。
【０１７５】
また、図１３に示すように、ネットワーク装置１３００は、送受信機１３０３及びアンテナ１３０４などをさらに含んでもよい。上記部材の機能は従来技術と類似し、ここでその説明を省略する。なお、ネットワーク装置１３００は図１３に示す全てのユニットを含む必要がない。また、ネットワーク装置１３００は、図１３に示されていないユニットをさらに含んでもよく、従来技術を参照してもよい。
【０１７６】
本実施例のネットワーク装置によれば、１つのキャリアが２つ以上の帯域幅単位に対応するシナリオにおいて従来のＣＷ調整方法が適用できないという問題を解決することができる。
【０１７７】
＜実施例６＞
本実施例６は端末装置を提供する。ここで、該端末装置は、実施例３のコンテンションウィンドウの調整装置１０００又は実施例４のデータ伝送装置１２００を含む。
【０１７８】
図１４は本発明の実施例の端末装置の概略図である。図１４に示すように、端末装置１４００は、中央処理装置（ＣＰＵ）１４０１及びメモリ１４０２を含んでもよく、メモリ１４０２は中央処理装置１４０１に接続される。なお、この図は例示的なものであり、他のタイプの構造を用いてこの構造を補足又は置換して、通信機能又は他の機能を実現してもよい。
【０１７９】
１つの態様では、実施例３のコンテンションウィンドウの調整装置１０００又は実施例４のデータ伝送装置１２００の機能は中央処理装置１４０１に統合され、中央処理装置１４０１により実施例３のコンテンションウィンドウの調整装置１０００又は実施例４のデータ伝送装置１２００の機能を実現してもよい。実施例３のコンテンションウィンドウの調整装置１０００又は実施例４のデータ伝送装置１２００の機能はここで援用し、その説明を省略する。
【０１８０】
もう１つの態様では、実施例３のコンテンションウィンドウの調整装置１０００又は実施例４のデータ伝送装置１２００は中央処理装置１４０１とそれぞれ配置されてもよく、例えば実施例３のコンテンションウィンドウの調整装置１０００又は実施例４のデータ伝送装置１２００は中央処理装置１４０１に接続されたチップであり、中央処理装置１４０１の制御により実施例３のコンテンションウィンドウの調整装置１０００又は実施例４のデータ伝送装置１２００の機能を実現してもよい。
【０１８１】
また、図１４に示すように、端末装置１４００は、通信モジュール１４０３、入力部１４０４、音声処理部１４０５、ディスプレイ１４０６、アンテナ及び電源１４０８などをさらに含んでもよい。ここで、上記ユニットの機能は従来技術と同様であり、ここでその説明を省略する。なお、端末装置１４００は図１４に示す全てのユニットを含む必要がない。また、端末装置１４００は、図１４に示されていないユニットをさらに含んでもよく、従来技術を参照してもよい。
【０１８２】
図１４に示すように、中央処理装置１４０１は、コントローラ又は操作制御部とも称され、マイクロプロセッサ又は他の処理装置及び／又は論理装置を含んでもよく、中央処理装置１４０１は入力を受け付け、端末装置１４００の各部の操作を制御する。
【０１８３】
ここで、メモリ１４０２は、例えばバッファ、フラッシュメモリ、ハードディスク、移動可能な媒体、発揮性メモリ、不発揮性メモリ、又は他の適切な装置の１つ又は複数であってもよく、各種のデータ及び関連情報を実行するためのプログラムを記憶している。また、中央処理装置１４０１は、メモリ１４０２に記憶されたプログラムを実行し、情報の記憶又は処理などを実現してもよい。他の部材は従来技術に類似するため、ここでその説明が省略される。端末装置１４００の各部は、本発明の範囲から逸脱することなく、特定のハードウェア、ファームウェア、ソフトウェア又はその組み合わせによって実現されてもよい。
【０１８４】
本実施例の端末装置によれば、１つのキャリアが２つ以上の帯域幅単位に対応するシナリオにおいて従来のＣＷ調整方法が適用できないという問題を解決することができる。
【０１８５】
＜実施例７＞
本実施例７は、ネットワーク装置と端末装置とを含む通信システムを提供する。ネットワーク装置は例えば実施例５に記載のネットワーク装置１３００であり、端末装置は例えば実施例６に記載の端末装置１４００である。
【０１８６】
本実施例では、該ネットワーク装置は、例えば、ＮＲにおけるｇＮＢであってもよく、送信装置として実施例３のコンテンションウィンドウの調整装置１０００の機能を含んでもよく、受信装置として実施例４のデータ伝送装置１１００の機能を含んでもよく、さらに、実施例５のようなネットワーク装置の従来の構成及び機能をさらに含んでもよく、ここでその説明を省略する。
【０１８７】
本実施例では、該端末装置は、例えば、ｇＮＢによりサービングされるＵＥであってもよく、送信装置として実施例３のコンテンションウィンドウの調整装置１０００の機能を含んでもよく、受信装置として実施例４のデータ伝送装置１２００の機能を含んでもよく、さらに、実施例６のような端末装置の従来の構成及び機能をさらに含んでもよく、ここでその説明を省略する。
【０１８８】
本実施例の通信システムによれば、１つのキャリアが２つ以上の帯域幅単位に対応するシナリオにおいて従来のＣＷ調整方法が適用できないという問題を解決することができる。
【０１８９】
本発明の実施例では、コンピュータ読み取り可能なプログラムであって、送信装置において該プログラムを実行する際に、コンピュータに前記送信装置において上記の実施例１に記載の方法を実行させる、プログラムをさらに提供する。
【０１９０】
本発明の実施例は、コンピュータ読み取り可能なプログラムが記憶されている記憶媒体であって、該プログラムを実行する際に、コンピュータに送信装置において実施例１に記載の方法を実行させる、記憶媒体をさらに提供する。
【０１９１】
本発明の実施例では、コンピュータ読み取り可能なプログラムであって、受信装置において該プログラムを実行する際に、コンピュータに前記受信装置において上記の実施例２に記載の方法を実行させる、プログラムをさらに提供する。
【０１９２】
本発明の実施例は、コンピュータ読み取り可能なプログラムが記憶されている記憶媒体であって、該プログラムを実行する際に、コンピュータに受信装置において実施例２に記載の方法を実行させる、記憶媒体をさらに提供する。
【０１９３】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される際に、該ロジック部に上述した装置又は構成要件を実現させる、或いは該ロジック部に上述した各種の方法又はステップを実現させることができる。本発明は上記のプログラムを記憶するための記憶媒体、例えばハードディスク、磁気ディスク、光ディスク、ＤＶＤ、フラッシュメモリ等に関する。
【０１９４】
本発明の実施例を参照しながら説明した各装置における各処理方法は、ハードウェア、プロセッサにより実行されるソフトウェアモジュール、又は両者の組み合わせで実施されてもよい。例えば、図面に示す機能的ブロック図における１つ若しくは複数、又は機能的ブロック図の１つ若しくは複数の組み合わせ（例えば受信部、決定部、送信部など）は、コンピュータプログラムフローの各ソフトウェアモジュールに対応してもよいし、各ハードウェアモジュールに対応してもよい。これらのソフトウェアモジュールは、図面に示す各ステップにそれぞれ対応してもよい。これらのハードウェアモジュールは、例えばフィールド・プログラマブル・ゲートアレイ（ＦＰＧＡ）を用いてこれらのソフトウェアモジュールをハードウェア化して実現されてもよい。
【０１９５】
ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、モバイルハードディスク、ＣＤ−ＲＯＭ又は当業者にとって既知の任意の他の形の記憶媒体に位置してもよい。プロセッサが記憶媒体から情報を読み取ったり、記憶媒体に情報を書き込むように該記憶媒体をプロセッサに接続してもよいし、記憶媒体がプロセッサの構成部であってもよい。プロセッサ及び記憶媒体はＡＳＩＣに位置してもよい。該ソフトウェアモジュールは移動端末のメモリに記憶されてもよいし、移動端末に挿入されたメモリカードに記憶されてもよい。例えば、機器（例えば移動端末）が比較的に大きい容量のＭＥＧＡ−ＳＩＭカード又は大容量のフラッシュメモリ装置を用いる場合、該ソフトウェアモジュールは該ＭＥＧＡ−ＳＩＭカード又は大容量のフラッシュメモリ装置に記憶されてもよい。
【０１９６】
図面に記載されている機能的ブロック図における一つ以上の機能ブロック及び／又は機能ブロックの一つ以上の組合せは、本願に記載されている機能を実行するための汎用プロセッサ、デジタル信号プロセッサ（ＤＳＰ）、特定用途向け集積回路（ＡＳＩＣ）、フィールド・プログラマブル・ゲートアレイ（ＦＰＧＡ）又は他のプログラマブル論理デバイス、ディスクリートゲート又はトランジスタ論理装置、ディスクリートハードウェアコンポーネント、又はそれらの任意の適切な組み合わせで実現されてもよい。図面に記載されている機能的ブロック図における一つ以上の機能ブロック及び／又は機能ブロックの一つ以上の組合せは、例えば、コンピューティング機器の組み合わせ、例えばＤＳＰとマイクロプロセッサの組み合わせ、複数のマイクロプロセッサの組み合わせ、ＤＳＰ通信と組み合わせた１つ又は複数のマイクロプロセッサ又は他の任意の構成で実現されてもよい。
【０１９７】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び変更を行ってもよく、これらの変形及び変更も本発明の範囲内のものである。
【０１９８】
また、上述の実施例を含む実施形態に関し、更に以下の付記を開示する。
（付記１）
コンテンションウィンドウの調整装置であって、
１つのキャリアで第１データを送信する送信部であって、前記１つのキャリアは２つ以上の帯域幅単位を含む、送信部と、
前記第１データに対応する帯域幅単位に関連付けられたコンテンションウィンドウ（ＣＷ）を調整する調整部と、を含む、装置。
（付記２）
前記第１データに対応する帯域幅単位が少なくとも１つある、付記１に記載の装置。
（付記３）
前記調整部は、
前記第１データの一部のデータの受信状況に基づいて、前記一部のデータに対応する帯域幅単位に関連付けられたコンテンションウィンドウを調整する第１調整部、を含む、付記２に記載の装置。
（付記４）
第１調整部は、第１因子に基づいて、前記一部のデータに対応する帯域幅単位に関連付けられたコンテンションウィンドウを調整する、付記３に記載の装置。
（付記５）
前記第１因子は、前記一部のデータにおけるＣＢＧ又はＣＢの受信状況を計数するために用いられる、付記４に記載の装置。
（付記６）
前記一部のデータにおける１つの完全なＣＢＧについて、受信に成功したか否かを１回として計数し、前記一部のデータにおける１つの不完全なＣＢＧについて、計数せず、或いは、
前記一部のデータにおける１つの完全なＣＢについて、受信に成功したか否かを１回として計数し、前記一部のデータにおける１つの不完全なＣＢについて、計数しない、付記３乃至５の何れかに記載の装置。
（付記７）
前記一部のデータについて、受信に成功したか否かを１回として計数する、付記３乃至５の何れかに記載の装置。
（付記８）
前記調整部は、
前記第１データの受信状況に基づいて、前記第１データの一部のデータに対応する帯域幅単位に関連付けられたコンテンションウィンドウを調整する第２調整部、を含む、付記２に記載の装置。
（付記９）
第２調整部は、第２因子に基づいて、前記一部のデータに対応する帯域幅単位に関連付けられたコンテンションウィンドウを調整する、付記８に記載の装置。
（付記１０）
前記第２因子は、前記第１データにおけるＴＢ、ＣＢＧ又はＣＢの受信状況を計数するために用いられる、付記９に記載の装置。
（付記１１）
前記一部のデータは、前記一部のデータに対応する帯域幅単位の帯域幅範囲内で送信される、付記３乃至１０の何れかに記載の装置。
（付記１２）
前記第１データに対応する帯域幅単位が２つ以上あり、且つ前記２つ以上の帯域幅単位のうちの少なくとも２つが同一のコンテンションウィンドウに関連付けられ、
前記調整部は、
前記第１データの受信状況に基づいて、前記第１データに対応する前記少なくとも２つの帯域幅単位に関連付けられたコンテンションウィンドウを調整する第３調整部、を含む、付記２乃至１１の何れかに記載の装置。
（付記１３）
前記第１データにおける１つのＴＢ、ＣＢＧ又はＣＢについて、受信に成功したか否かを１回として計数する、付記１２に記載の装置。
（付記１４）
前記第１データは、前記第１データに対応する２つ以上の帯域幅単位の帯域幅範囲内で送信され、
前記少なくとも２つの帯域幅単位に対応する第１データの部分は、完全に同一であるものではない、付記１２又は１３に記載の装置。
（付記１５）
第１データを送信するための周波数領域リソースに基づいて、前記第１データに対応する帯域幅単位を決定する第１決定部、をさらに含む、付記１乃至１４の何れかに記載の装置。
（付記１６）
前記第１データを送信するための周波数領域リソースが全て１つの帯域幅単位の帯域幅範囲内に位置する場合、前記帯域幅単位は、前記第１データに対応する帯域幅単位であり、或いは、
前記第１データを送信するための周波数領域リソースの少なくとも一部が１つの帯域幅単位の帯域幅範囲内に位置する場合、前記帯域幅単位は、前記第１データに対応する帯域幅単位である、付記１５に記載の装置。
（付記１７）
前記第１決定部は、
前記第１データを送信するためのチャネルアクセス優先度、
前記第１データを送信するためのサブキャリア間隔、
前記第１データを送信するための時間領域リソースの位置、
前記第１データに対応するハイブリッド自動再送プロセス（ＨＡＲＱ  ｐｒｏｃｅｓｓ）、及び
前記第１データの関連情報の時間周波数リソースの位置のうちの少なくとも１つの情報に基づいて、前記第１データに対応する帯域幅単位を決定する、付記１６に記載の装置。
（付記１８）
前記装置はネットワーク装置又は端末装置に構成されている、付記１乃至１７の何れかに記載の装置。
（付記１９）
前記第１データは、少なくとも１つの伝送ブロック（ＴＢ）を含み、
各伝送ブロックは、１つ又は複数のコードブロック（ＣＢ）を含み、
前記１つ又は複数のコードブロックは、１つ又は複数のコードブロックグループ（ＣＢＧ）にグループ分けされる、付記１乃至１８の何れかに記載の装置。
（付記２０）
前記２つ以上の帯域幅単位のうちの少なくとも２つの帯域幅単位の帯域幅サイズ及び／又は周波数領域開始位置は異なる、付記１乃至１８の何れかに記載の装置。
（付記２１）
前記帯域幅単位は、リッスンビフォアトーク・チャネル（ＬＢＴ  ｃｈａｎｎｅｌ）又はリッスンビフォアトーク・サブバンド（ＬＢＴ  ｓｕｂ−ｂａｎｄ）である、付記１乃至２０に記載の装置。
（付記２２）
前記装置はネットワーク装置に構成され、
前記キャリアはダウンリンクキャリアであり、
前記装置は、
前記ダウンリンクキャリアに含まれる前記２つ以上の帯域幅単位を予め構成する構成部、をさらに含む、付記１乃至２１に記載の装置。
（付記２３）
前記装置は端末装置に構成され、
前記装置は、ネットワーク装置により送信された第１情報を受信する第１受信部、をさらに含み、
前記第１情報は、前記キャリアの２つ以上の帯域幅単位を示すために用いられる、付記１乃至２１に記載の装置。
（付記２４）
前記装置は端末装置に構成され、
前記装置は、ネットワーク装置により送信された第２情報を受信する第２受信部、をさらに含み、
前記第２情報は、前記第１データに対応する帯域幅単位を示すために用いられる、付記１乃至２１に記載の装置。
（付記２５）
前記関連付けは、前記帯域幅単位のチャネルアクセスプロセスが該帯域幅単位に関連付けられたＣＷを用いてランダムバックオフカウンタの初期値を生成することを指す、付記１乃至２４に記載の装置。
（付記２６）
前記帯域幅単位のうちの１つの帯域幅単位のチャネルアクセスプロセスは、該帯域幅単位に関連付けられたＣＷを用いてランダムバックオフカウンタの初期値を生成し、
前記１つの帯域幅単位と同一のＣＷに関連付けられた他の帯域幅単位は、前記１つの帯域幅単位のチャネルアクセスに成功した場合、チャネルに速やかにアクセスする、付記１乃至２４に記載の装置。
（付記２７）
前記第１データの関連情報を受信し、前記第１データの関連情報に基づいて前記第１データの受信状況又は前記第１データの一部のデータの受信状況を決定する第３受信部、をさらに含む、付記３乃至１０の何れかに記載の装置。
（付記２８）
前記第１データの関連情報は、１つのＴＢに対応する異なる帯域幅単位でのデータの受信に成功したか否かを示し、
前記異なる帯域幅単位は、周波数領域で重複していない、付記２７に記載の装置。
（付記２９）
前記データは、前記第１データの整数個又は非整数個のＣＢ又はＣＢＧを含む、付記２７又は２８に記載の装置。
（付記３０）
第１データの関連情報の受信状況に基づいて前記第１データの受信状況又は前記第１データの一部のデータの受信状況を決定する第２決定部、をさらに含む、付記３乃至１０に記載の装置。
（付記３１）
データ伝送装置であって、
送信装置に第１情報を送信する第１送信部、を含み、
前記第１情報は、１つのキャリアの２つ以上の帯域幅単位を示し、
前記送信装置は、前記キャリアで第１データを送信し、前記第１データに対応する帯域幅単位に関連付けられたコンテンションウィンドウ（ＣＷ）を調整する、装置。
（付記３２）
前記送信装置に第２情報を送信する第２送信部、をさらに含み、
前記第２情報は、前記第１データに対応する帯域幅単位を示す、付記３１に記載の装置。
（付記３３）
データ伝送装置であって、
送信装置が第１データの関連情報に基づいて第１データの受信状況又は第１データの一部のデータの受信状況を決定し、且つ前記第１データの受信状況又は前記第１データの一部のデータの受信状況に基づいて前記一部のデータに対応する帯域幅単位に関連付けられたコンテンションウィンドウを調整するように、前記送信装置に前記第１データの関連情報を送信する第３送信部、を含む、装置。
（付記３４）
前記第１データの関連情報は、１つのＴＢに対応する異なる帯域幅単位でのデータの受信に成功したか否かを示し、
前記異なる帯域幅単位は、周波数領域で重複していない、付記３３に記載の装置。
【図１】
2021533603.tif 000003
【図２】
2021533603.tif 000004
【図３】
2021533603.tif 000005
【図４】
2021533603.tif 000006
【図５】
2021533603.tif 000007
【図６】
2021533603.tif 000008
【図７】
2021533603.tif 000009
【図８】
2021533603.tif 000010
【図９】
2021533603.tif 000011
【図１０】
2021533603.tif 000012
【図１１】
2021533603.tif 000013
【図１２】
2021533603.tif 000014
【図１３】
2021533603.tif 000015
【図１４】
2021533603.tif 000016
【手続補正書】
【提出日】令和3年2月8日(2021.2.8)
【手続補正１】
【補正対象書類名】特許請求の範囲
【補正対象項目名】全文
【補正方法】変更
【補正の内容】
【特許請求の範囲】
【請求項１】
コンテンションウィンドウの調整装置であって、
１つのキャリアで第１データを送信する送信部であって、前記１つのキャリアは２つ以上の帯域幅単位を含む、送信部と、
前記第１データのＨＡＲＱ−ＡＣＫ情報に基づいて、前記第１データを送信するための周波数領域リソースの少なくとも一部を含む帯域幅単位に関連付けられたコンテンションウィンドウ（ＣＷ）を調整する調整部と、を含む、装置。
【請求項２】
前記帯域幅単位が少なくとも１つある、請求項１に記載の装置。
【請求項３】
前記調整部は、
前記第１データの一部のデータの受信状況に基づいて、前記一部のデータを送信するための周波数領域リソースの少なくとも一部を含む帯域幅単位に関連付けられたコンテンションウィンドウを調整する第１調整部、を含む、請求項２に記載の装置。
【請求項４】
第１調整部は、第１因子に基づいて、前記一部のデータを送信するための周波数領域リソースの少なくとも一部を含む帯域幅単位に関連付けられたコンテンションウィンドウを調整する、請求項３に記載の装置。
【請求項５】
前記第１因子は、前記一部のデータにおけるＣＢＧ又はＣＢの受信状況を計数するために用いられる、請求項４に記載の装置。
【請求項６】
前記一部のデータにおける１つの完全なＣＢＧについて、受信に成功したか否かを１回として計数し、前記一部のデータにおける１つの不完全なＣＢＧについて、計数せず、或いは、
前記一部のデータにおける１つの完全なＣＢについて、受信に成功したか否かを１回として計数し、前記一部のデータにおける１つの不完全なＣＢについて、計数しない、請求項３に記載の装置。
【請求項７】
前記一部のデータについて、受信に成功したか否かを１回として計数する、請求項３に記載の装置。
【請求項８】
前記調整部は、
前記第１データの受信状況に基づいて、前記第１データの一部のデータを送信するための周波数領域リソースの少なくとも一部を含む帯域幅単位に関連付けられたコンテンションウィンドウを調整する第２調整部、を含む、請求項２に記載の装置。
【請求項９】
第２調整部は、第２因子に基づいて、前記一部のデータを送信するための周波数領域リソースの少なくとも一部を含む帯域幅単位に関連付けられたコンテンションウィンドウを調整する、請求項８に記載の装置。
【請求項１０】
前記第２因子は、前記第１データにおけるＴＢ、ＣＢＧ又はＣＢの受信状況を計数するために用いられる、請求項９に記載の装置。
【請求項１１】
前記一部のデータは、前記一部のデータを送信するための周波数領域リソースの少なくとも一部を含む帯域幅単位の帯域幅範囲内で送信される、請求項３に記載の装置。
【請求項１２】
前記第１データを送信するための周波数領域リソースの少なくとも一部を含む帯域幅単位が２つ以上あり、且つ前記２つ以上の帯域幅単位のうちの少なくとも２つが同一のコンテンションウィンドウに関連付けられ、
前記調整部は、
前記第１データの受信状況に基づいて、前記第１データを送信するための周波数領域リソースの少なくとも一部を含む前記少なくとも２つの帯域幅単位に関連付けられたコンテンションウィンドウを調整する第３調整部、を含む、請求項２に記載の装置。
【請求項１３】
前記第１データにおける１つのＴＢ、ＣＢＧ又はＣＢについて、受信に成功したか否かを１回として計数する、請求項１２に記載の装置。
【請求項１４】
前記少なくとも２つの帯域幅単位においてそれぞれ送信される前記第１データの一部のデータは、完全に同一であるものではない、請求項１２に記載の装置。
【請求項１５】
第１データを送信するための周波数領域リソースに基づいて、前記第１データを送信するための周波数領域リソースの少なくとも一部を含む帯域幅単位を決定する決定部、をさらに含む、請求項１に記載の装置。
【請求項１６】
前記第１データを送信するための周波数領域リソースが全て１つの帯域幅単位の帯域幅範囲内に位置する場合、前記１つの帯域幅単位は、前記第１データを送信するための周波数領域リソースの少なくとも一部を含む帯域幅単位であり、或いは、
前記第１データを送信するための周波数領域リソースの少なくとも一部が１つの帯域幅単位の帯域幅範囲内に位置する場合、前記１つの帯域幅単位は、前記第１データを送信するための周波数領域リソースの少なくとも一部を含む帯域幅単位である、請求項１５に記載の装置。
【請求項１７】
前記決定部は、
前記第１データを送信するためのチャネルアクセス優先度、
前記第１データを送信するためのサブキャリア間隔、
前記第１データを送信するための時間領域リソースの位置、
前記第１データに対応するハイブリッド自動再送プロセス（ＨＡＲＱ  ｐｒｏｃｅｓｓ）、及び
前記第１データの関連情報の時間周波数リソースの位置のうちの少なくとも１つの情報に基づいて、前記第１データを送信するための周波数領域リソースの少なくとも一部を含む帯域幅単位を決定する、請求項１５に記載の装置。
【請求項１８】
前記２つ以上の帯域幅単位のうちの少なくとも２つの帯域幅単位の帯域幅サイズ及び／又は周波数領域開始位置は異なる、請求項１に記載の装置。
【請求項１９】
前記第１データの関連情報を受信し、前記第１データの関連情報に基づいて前記第１データの受信状況又は前記第１データの一部のデータの受信状況を決定する受信部、をさらに含む、請求項３に記載の装置。
【請求項２０】
前記第１データの関連情報は、１つのＴＢに対応する異なる帯域幅単位でのデータの受信に成功したか否かを示し、
前記異なる帯域幅単位は、周波数領域で重複していない、請求項１９に記載の装置。

【手続補正２】
【補正対象書類名】明細書
【補正対象項目名】００６８
【補正方法】変更
【補正の内容】
【００６８】
本実施例の上記のステップ２０２において、第１データに対応する帯域幅単位に関連付けられたＣＷについて、１つの態様では、１組のＣＷが１つの帯域幅単位に関連付けられ、このグループ内の各ＣＷが１つのチャネルアクセス優先度にそれぞれ用いられる（異なるチャネルアクセス優先度に対応する候補ＣＷ集合の値の範囲は異なる）。この態様では、上記の第１データに対応する帯域幅単位のチャネルアクセスプロセスにおいて用いられるランダムバックオフカウンタの初期値は、該帯域幅単位に関連付けられたＣＷに基づいて生成される。もう１つの態様では、１組のＣＷが２つ以上の帯域幅単位に関連付けられ、このグループ内の各ＣＷが１つのチャネルアクセス優先度にそれぞれ用いられる。この態様では、上記の第１データに対応する帯域幅単位のチャネルアクセスプロセスにおいて用いられるランダムバックオフカウンタの初期値は、該帯域幅単位に関連付けられたＣＷに基づいて生成され、或いは、上記の第１データに対応する帯域幅単位のうちの１つの帯域幅単位のチャネルアクセスプロセスにおいて用いられるランダムバックオフカウンタの初期値は、該１つの帯域幅単位に関連付けられたＣＷに基づいて生成され、該１つの帯域幅単位と同一のＣＷに関連付けられた他の帯域幅単位は、該１つの帯域幅単位のチャネルアクセスに成功した場合、チャネルに速やかにアクセスしてもよい。

【手続補正３】
【補正対象書類名】明細書
【補正対象項目名】０１５５
【補正方法】変更
【補正の内容】
【０１５５】
本実施例では、該帯域幅単位のチャネルアクセスプロセスにおいて用いられるランダムバックオフカウンタの初期値は、該帯域幅単位に関連付けられたＣＷに基づいて生成される。

【手続補正４】
【補正対象書類名】明細書
【補正対象項目名】０１５６
【補正方法】変更
【補正の内容】
【０１５６】
本実施例では、該帯域幅単位のうちの１つの帯域幅単位のチャネルアクセスプロセスにおいて用いられるランダムバックオフカウンタの初期値は、該１つの帯域幅単位に関連付けられたＣＷに基づいて生成され、該１つの帯域幅単位と同一のＣＷに関連付けられた他の帯域幅単位は、該１つの帯域幅単位のチャネルアクセスに成功した場合、チャネルに速やかにアクセスする。

【手続補正５】
【補正対象書類名】明細書
【補正対象項目名】０１９８
【補正方法】変更
【補正の内容】
【０１９８】
また、上述の実施例を含む実施形態に関し、更に以下の付記を開示する。
（付記１）
コンテンションウィンドウの調整装置であって、
１つのキャリアで第１データを送信する送信部であって、前記１つのキャリアは２つ以上の帯域幅単位を含む、送信部と、
前記第１データに対応する帯域幅単位に関連付けられたコンテンションウィンドウ（ＣＷ）を調整する調整部と、を含む、装置。
（付記２）
前記第１データに対応する帯域幅単位が少なくとも１つある、付記１に記載の装置。
（付記３）
前記調整部は、
前記第１データの一部のデータの受信状況に基づいて、前記一部のデータに対応する帯域幅単位に関連付けられたコンテンションウィンドウを調整する第１調整部、を含む、付記２に記載の装置。
（付記４）
第１調整部は、第１因子に基づいて、前記一部のデータに対応する帯域幅単位に関連付けられたコンテンションウィンドウを調整する、付記３に記載の装置。
（付記５）
前記第１因子は、前記一部のデータにおけるＣＢＧ又はＣＢの受信状況を計数するために用いられる、付記４に記載の装置。
（付記６）
前記一部のデータにおける１つの完全なＣＢＧについて、受信に成功したか否かを１回として計数し、前記一部のデータにおける１つの不完全なＣＢＧについて、計数せず、或いは、
前記一部のデータにおける１つの完全なＣＢについて、受信に成功したか否かを１回として計数し、前記一部のデータにおける１つの不完全なＣＢについて、計数しない、付記３乃至５の何れかに記載の装置。
（付記７）
前記一部のデータについて、受信に成功したか否かを１回として計数する、付記３乃至５の何れかに記載の装置。
（付記８）
前記調整部は、
前記第１データの受信状況に基づいて、前記第１データの一部のデータに対応する帯域幅単位に関連付けられたコンテンションウィンドウを調整する第２調整部、を含む、付記２に記載の装置。
（付記９）
第２調整部は、第２因子に基づいて、前記一部のデータに対応する帯域幅単位に関連付けられたコンテンションウィンドウを調整する、付記８に記載の装置。
（付記１０）
前記第２因子は、前記第１データにおけるＴＢ、ＣＢＧ又はＣＢの受信状況を計数するために用いられる、付記９に記載の装置。
（付記１１）
前記一部のデータは、前記一部のデータに対応する帯域幅単位の帯域幅範囲内で送信される、付記３乃至１０の何れかに記載の装置。
（付記１２）
前記第１データに対応する帯域幅単位が２つ以上あり、且つ前記２つ以上の帯域幅単位のうちの少なくとも２つが同一のコンテンションウィンドウに関連付けられ、
前記調整部は、
前記第１データの受信状況に基づいて、前記第１データに対応する前記少なくとも２つの帯域幅単位に関連付けられたコンテンションウィンドウを調整する第３調整部、を含む、付記２乃至１１の何れかに記載の装置。
（付記１３）
前記第１データにおける１つのＴＢ、ＣＢＧ又はＣＢについて、受信に成功したか否かを１回として計数する、付記１２に記載の装置。
（付記１４）
前記第１データは、前記第１データに対応する２つ以上の帯域幅単位の帯域幅範囲内で送信され、
前記少なくとも２つの帯域幅単位に対応する第１データの部分は、完全に同一であるものではない、付記１２又は１３に記載の装置。
（付記１５）
第１データを送信するための周波数領域リソースに基づいて、前記第１データに対応する帯域幅単位を決定する第１決定部、をさらに含む、付記１乃至１４の何れかに記載の装置。
（付記１６）
前記第１データを送信するための周波数領域リソースが全て１つの帯域幅単位の帯域幅範囲内に位置する場合、前記帯域幅単位は、前記第１データに対応する帯域幅単位であり、或いは、
前記第１データを送信するための周波数領域リソースの少なくとも一部が１つの帯域幅単位の帯域幅範囲内に位置する場合、前記帯域幅単位は、前記第１データに対応する帯域幅単位である、付記１５に記載の装置。
（付記１７）
前記第１決定部は、
前記第１データを送信するためのチャネルアクセス優先度、
前記第１データを送信するためのサブキャリア間隔、
前記第１データを送信するための時間領域リソースの位置、
前記第１データに対応するハイブリッド自動再送プロセス（ＨＡＲＱ  ｐｒｏｃｅｓｓ）、及び
前記第１データの関連情報の時間周波数リソースの位置のうちの少なくとも１つの情報に基づいて、前記第１データに対応する帯域幅単位を決定する、付記１６に記載の装置。
（付記１８）
前記装置はネットワーク装置又は端末装置に構成されている、付記１乃至１７の何れかに記載の装置。
（付記１９）
前記第１データは、少なくとも１つの伝送ブロック（ＴＢ）を含み、
各伝送ブロックは、１つ又は複数のコードブロック（ＣＢ）を含み、
前記１つ又は複数のコードブロックは、１つ又は複数のコードブロックグループ（ＣＢＧ）にグループ分けされる、付記１乃至１８の何れかに記載の装置。
（付記２０）
前記２つ以上の帯域幅単位のうちの少なくとも２つの帯域幅単位の帯域幅サイズ及び／又は周波数領域開始位置は異なる、付記１乃至１８の何れかに記載の装置。
（付記２１）
前記帯域幅単位は、リッスンビフォアトーク・チャネル（ＬＢＴ  ｃｈａｎｎｅｌ）又はリッスンビフォアトーク・サブバンド（ＬＢＴ  ｓｕｂ−ｂａｎｄ）である、付記１乃至２０に記載の装置。
（付記２２）
前記装置はネットワーク装置に構成され、
前記キャリアはダウンリンクキャリアであり、
前記装置は、
前記ダウンリンクキャリアに含まれる前記２つ以上の帯域幅単位を予め構成する構成部、をさらに含む、付記１乃至２１に記載の装置。
（付記２３）
前記装置は端末装置に構成され、
前記装置は、ネットワーク装置により送信された第１情報を受信する第１受信部、をさらに含み、
前記第１情報は、前記キャリアの２つ以上の帯域幅単位を示すために用いられる、付記１乃至２１に記載の装置。
（付記２４）
前記装置は端末装置に構成され、
前記装置は、ネットワーク装置により送信された第２情報を受信する第２受信部、をさらに含み、
前記第２情報は、前記第１データに対応する帯域幅単位を示すために用いられる、付記１乃至２１に記載の装置。
（付記２５）
前記関連付けは、前記帯域幅単位のチャネルアクセスプロセスにおいて用いられるランダムバックオフカウンタの初期値が該帯域幅単位に関連付けられたＣＷに基づいて生成されることを指す、付記１乃至２４に記載の装置。
（付記２６）
前記帯域幅単位のうちの１つの帯域幅単位のチャネルアクセスプロセスにおいて用いられるランダムバックオフカウンタの初期値は、該１つの帯域幅単位に関連付けられたＣＷに基づいて生成され、
前記１つの帯域幅単位と同一のＣＷに関連付けられた他の帯域幅単位は、前記１つの帯域幅単位のチャネルアクセスに成功した場合、チャネルに速やかにアクセスする、付記１乃至２４に記載の装置。
（付記２７）
前記第１データの関連情報を受信し、前記第１データの関連情報に基づいて前記第１データの受信状況又は前記第１データの一部のデータの受信状況を決定する第３受信部、をさらに含む、付記３乃至１０の何れかに記載の装置。
（付記２８）
前記第１データの関連情報は、１つのＴＢに対応する異なる帯域幅単位でのデータの受信に成功したか否かを示し、
前記異なる帯域幅単位は、周波数領域で重複していない、付記２７に記載の装置。
（付記２９）
前記データは、前記第１データの整数個又は非整数個のＣＢ又はＣＢＧを含む、付記２７又は２８に記載の装置。
（付記３０）
第１データの関連情報の受信状況に基づいて前記第１データの受信状況又は前記第１データの一部のデータの受信状況を決定する第２決定部、をさらに含む、付記３乃至１０に記載の装置。
（付記３１）
データ伝送装置であって、
送信装置に第１情報を送信する第１送信部、を含み、
前記第１情報は、１つのキャリアの２つ以上の帯域幅単位を示し、
前記送信装置は、前記キャリアで第１データを送信し、前記第１データに対応する帯域幅単位に関連付けられたコンテンションウィンドウ（ＣＷ）を調整する、装置。
（付記３２）
前記送信装置に第２情報を送信する第２送信部、をさらに含み、
前記第２情報は、前記第１データに対応する帯域幅単位を示す、付記３１に記載の装置。
（付記３３）
データ伝送装置であって、
送信装置が第１データの関連情報に基づいて第１データの受信状況又は第１データの一部のデータの受信状況を決定し、且つ前記第１データの受信状況又は前記第１データの一部のデータの受信状況に基づいて前記一部のデータに対応する帯域幅単位に関連付けられたコンテンションウィンドウを調整するように、前記送信装置に前記第１データの関連情報を送信する第３送信部、を含む、装置。
（付記３４）
前記第１データの関連情報は、１つのＴＢに対応する異なる帯域幅単位でのデータの受信に成功したか否かを示し、
前記異なる帯域幅単位は、周波数領域で重複していない、付記３３に記載の装置。
【国際調査報告】
2021533603.tif 000017
2021533603.tif 000018
2021533603.tif 000019
2021533603.tif 000020